(57)【要約】【課題】利用者が利用者の立場で見やすく表示形態を変化させて出力することができる電子的文書による情報処理システムを提供する。【解決手段】情報処理サーバ５は、送受信部５１が電子的文書情報を受信し、画像情報領域分割部５２が文字画像情報と非文字画像情報との領域分割画像情報に分割して、構造的意味解析部５３が領域分割画像情報の文書中における構造的意味を解析し、構造化記述部５４が構造化情報を生成する。設計情報抽出部５５は領域分割画像情報の表示形態を設計する情報を抽出し、設計情報記述部５６が設計情報を生成して、情報処理端末に送信する。情報処理端末は、設計情報を書き換える要求信号を送信して、受信した文書再構成部５８は変更後の設計情報に基づいて文書を出力装置に出力する。【選択図】        図２
2006309443.tif 000002
【特許請求の範囲】
【請求項１】
ネットワークに接続され、電子的に読み取られた文書の文書画像情報を入力し、文書中の画像の意味を構造化し、パラメータを介して表示形態を変化可能に再構成した文書再構成情報を、送受信手段を介して前記ネットワーク経由で送受信する情報処理サーバと、
前記ネットワークに接続され、前記情報処理サーバから前記ネットワークを介して送信される前記文書再構成情報を、送受信手段を介して受信し、前記文書の表示形態の変更を要求する変更要求信号の入力を受け付ける情報処理端末と、
前記ネットワークに接続され、前記情報処理端末によって受け付けられた変更要求信号を受信した前記情報処理サーバによって表示形態が変更された前記文書を出力する出力装置と、
を備えた情報処理システムであって、
前記情報処理サーバは、
入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割手段と、
前記領域分割手段によって生成された領域分割画像情報の文書中における構造的意味を解析して構造化情報を生成する構造化情報生成手段と、
前記領域分割画像情報の前記文書画像情報における表示形態を設計する設計情報を生成する設計情報生成手段と、
前記領域分割画像情報、前記構造化情報生成手段の生成した構造化情報、および前記設計情報生成手段の生成した設計情報に基づいて前記文書を再構成して前記出力装置に出力させる文書再構成手段と、
を備えて、前記領域分割画像情報、前記構造化情報、および前記設計情報の少なくともいずれかを、前記送受信手段を介して前記情報処理端末に送信するものであり、
前記情報処理端末は、
前記ネットワーク経由で前記少なくともいずれかの情報を、前記送受信手段を介して受信して再構成する文書再構成手段と、
前記文書再構成手段によって再構成された文書を表示する表示手段と、
前記少なくともいずれかの情報に対する変更を前記ネットワークを介して前記情報処理サーバに要求する変更要求信号を受け付ける文書表示変更手段と、を備えて、前記送受信手段を介して前記情報処理サーバに、前記変更要求信号を送信するものであり、
前記情報処理サーバは、前記情報処理端末が送信した前記変更要求信号を受信して、
前記文書再構成手段は、受信した前記変更要求信号に基づいて前記領域分割画像情報、構造化情報および設計情報の少なくともいずれかの情報を変更し、変更後の前記構造化情報および設計情報に基づいて前記出力装置に前記文書画像情報を出力させるものであることを特徴とする情報処理システム。
【請求項２】
前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含む設計情報を生成するものであることを特徴とする請求項１に記載の情報処理システム。
【請求項３】
前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含む設計情報を生成するものであることを特徴とする請求項１または２に記載の情報処理システム。
【請求項４】
前記構造化情報生成手段は、前記文字画像情報に対して文字認識処理を施す文字認識手段と、前記文字認識手段によって認識された文字情報を透明テキスト情報の形で前記文字画像要素に付加する透明テキスト付加手段と、をさらに備えたことを特徴とする請求項１〜３のいずれか１つに記載の情報処理システム。
【請求項５】
前記文書表示変更手段は、予め定められた構造化情報および設計情報を受け付けて前記少なくともいずれかの情報を変更するものであることを特徴とする請求項１〜４のいずれか１つに記載の情報処理システム。
【請求項６】
前記文書表示変更手段は、読み込んだ所定の文書が前記領域分割手段によって領域分割されて生成された領域分割画像情報から、前記構造化情報生成手段および設計情報生成手段によって生成された構造化情報および設計情報に基づいて、前記文書画像情報を変更する変更要求信号を生成するものであることを特徴とする請求項１〜５のいずれか１つに記載の情報処理システム。
【請求項７】
前記文書表示変更手段は、読み込んだ任意に描画された仕上がりイメージ図から、前記構造化情報生成手段および設計情報生成手段によって生成された構造化情報および設計情報に基づいて、前記文書画像情報を変更する変更要求信号を生成するものであることを特徴とする請求項１〜６のいずれか１つに記載の情報処理システム。
【請求項８】
ネットワークに接続し、電子文書を入力して文書および画像の意味を構造化し表示形態を変化可能に再構成する文書再構成情報を、送受信手段を介して前記ネットワーク経由で送受信する情報処理サーバと、
前記ネットワークに接続し、前記情報処理サーバから前記ネットワークを介して送信される前記文書再構成情報を、送受信手段を介して受信し、前記文書の表示形態の変更を要求する変更要求信号の入力を受け付ける情報処理端末と、
前記ネットワークに接続し、前記情報処理端末によって受け付けられた変更要求信号を受信した前記情報処理サーバによって表示形態が変更された前記文書を出力する出力装置と、
を備えた情報処理システムであって、
前記情報処理サーバは、
入力した前記電子文書からコード化された文字情報および画像情報を抽出する文字画像抽出手段と、
前記文字画像抽出手段によって抽出された文字情報および画像情報の文書中における構造的意味を解析して構造化情報を生成する構造化情報生成手段と、
前記文字情報および画像情報の表示形態を設計する設計情報を生成する設計情報生成手段と、
前記文字情報および画像情報、前記構造化情報生成手段の生成した構造化情報、および前記設計情報生成手段の生成した設計情報に基づいて前記文書を再構成して前記出力装置に出力させる文書再構成手段と、
を備えて、前記文字情報および画像情報、前記構造化情報、ならびに前記設計情報の少なくともいずれかの情報を、前記送受信手段を介して前記情報処理端末に送信するものであり、
前記情報処理端末は、
前記ネットワーク経由で前記少なくともいずれかの情報を、前記送受信手段を介して受信して再構成する文書再構成手段と、
前記文書再構成手段によって再構成された文書を表示する表示手段と、
前記少なくともいずれかの情報に対する変更を前記ネットワークを介して前記情報処理サーバに要求する変更要求信号を受け付ける文書表示変更手段と、
を備えて、前記送受信手段を介して前記情報処理サーバに、前記変更要求信号を送信するものであり、
前記情報処理サーバは、前記情報処理端末が送信した前記変更要求信号を受信して、
前記文書再構成手段は、受信した前記変更要求信号に基づいて前記文字情報および画像情報、構造化情報および設計情報の少なくともいずれかの情報を変更し、変更後の前記文字情報および画像情報、構造化情報および設計情報に基づいて再構成した前記電子文書を前記出力装置に出力させるものであることを特徴とする情報処理システム。
【請求項９】
電子的に読み取られた文書の文書画像情報を入力し、文書中の画像の意味を構造化し、パラメータを介して表示形態を変化可能に再構成した文書再構成情報に基づいて前記文書を出力手段を介して出力する情報処理装置であって、
入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割手段と、
前記領域分割手段によって生成された領域分割画像情報の文書中における構造的意味を解析して構造化情報を生成する構造化情報生成手段と、
前記領域分割画像情報の前記文書画像情報における表示形態を設計する設計情報を生成する設計情報生成手段と、
前記領域分割画像情報、前記構造化情報生成手段の生成した構造化情報、および前記設計情報生成手段の生成した設計情報に基づいて前記文書を再構成して前記出力手段に出力させる文書再構成手段と、
前記領域分割画像情報、前記構造化情報、および前記設計情報の少なくともいずれかの情報に対する変更を要求する変更要求信号を受け付ける文書表示変更手段と、を備え、
前記文書再構成手段は、前記文書表示変更手段が受け付けた要求信号に基づいて、前記領域分割画像情報、構造化情報および設計情報の少なくともいずれかの情報を変更し、変更後の前記構造化情報および設計情報に基づいて前記出力手段に前記文書画像情報を出力させるものであることを特徴とする情報処理装置。
【請求項１０】
前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含む設計情報を生成するものであることを特徴とする請求項９に記載の情報処理装置。
【請求項１１】
前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含む設計情報を生成するものであることを特徴とする請求項９または１０に記載の情報処理装置。
【請求項１２】
前記構造化情報生成手段は、前記文字画像情報に対して文字認識処理を施す文字認識手段と、前記文字認識手段によって認識された文字情報を透明テキスト情報の形で前記文字画像要素に付加する透明テキスト付加手段と、をさらに備えたことを特徴とする請求項９〜１１のいずれか１つに記載の情報処理装置。
【請求項１３】
前記文書表示変更手段は、予め定められた構造化情報および設計情報を受け付けて前記少なくともいずれかの情報を変更するものであることを特徴とする請求項９〜１２のいずれか１つに記載の情報処理装置。
【請求項１４】
前記文書表示変更手段は、読み込んだ所定の文書が前記領域分割手段によって領域分割されて生成された領域分割画像情報から、前記構造化情報生成手段および設計情報生成手段によって生成された構造化情報および設計情報に基づいて、前記文書画像情報を変更する変更要求信号を生成するものであることを特徴とする請求項９〜１３のいずれか１つに記載の情報処理装置。
【請求項１５】
前記文書表示変更手段は、読み込んだ任意に描画された仕上がりイメージ図から、前記構造化情報生成手段および設計情報生成手段によって生成された構造化情報および設計情報に基づいて、前記文書画像情報を変更する変更要求信号を生成するものであることを特徴とする請求項９〜１４のいずれか１つに記載の情報処理装置。
【請求項１６】
電子文書を入力して文書および画像の意味を構造化し表示形態を変化可能に再構成し、前記電子文書を出力手段を介して出力する情報処理装置であって、
入力した前記電子文書からコード化された文字情報および画像情報を抽出する文字画像抽出手段と、
前記文字画像抽出手段によって抽出された文字情報および画像情報の文書中における構造的意味を解析して構造化情報を生成する構造化情報生成手段と、
前記文字情報および画像情報の表示形態を設計する設計情報を生成する設計情報生成手段と、
前記文字情報および画像情報、前記構造化情報生成手段の生成した構造化情報、ならびに前記設計情報生成手段の生成した設計情報に基づいて前記文書を再構成して前記出力手段に出力させる文書再構成手段と、
前記文字情報、構造化情報および設計情報の少なくともいずれかの情報に対する変更を要求する変更要求信号を受け付ける文書表示変更手段と、を備え、
前記文書再構成手段は、前記文書表示変更手段が受け付けた前記変更要求信号に基づいて前記少なくともいずれかの情報を変更し、変更された前記少なくともいずれかの情報に基づいて前記電子文書を再構成して前記出力手段に出力させるものであることを特徴とする情報処理装置。
【請求項１７】
文書画像情報を入力し、表示形態に変更処理を施し、出力手段に出力させる情報処理端末であって、
前記文書画像情報が、文字画像情報および非文字画像情報のいずれかに判別され、判別された文字画像情報に対しては文字ごとの文字画像情報に領域分割し、かつ判別された非文字画像情報に対しては画像ごとの非文字画像情報に領域分割された領域分割画像情報と、前記領域分割画像情報の文書中における構造的意味の情報である構造化情報と、前記領域分割画像情報の前記文書画像情報における表示形態を設計する設計情報とを入力する入力手段と、
前記入力手段によって入力された前記領域分割画像情報、構造化情報、および設計情報の少なくともいずれかの情報を変更する変更要求信号を受け付けて変更する文書表示変更手段と、
前記文書表示変更手段が前記少なくともいずれかの情報を変更した後の前記領域分割画像情報、構造化情報、および設計情報に基づいて前記文書画像情報を再構成して前記出力手段に出力させる文書再構成手段と、を備えたものであることを特徴とする情報処理端末。
【請求項１８】
前記入力手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含む設計情報を入力するものであることを特徴とする請求項１７に記載の情報処理端末。
【請求項１９】
前記入力手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含む設計情報を入力するものであることを特徴とする請求項１７または１８に記載の情報処理端末。
【請求項２０】
前記入力手段は、前記文字情報に対して付加された透明テキスト情報を含む設計情報を入力するものであることを特徴とする請求項１７〜１９のいずれか１つに記載の情報処理端末。
【請求項２１】
前記文書表示変更手段は、予め定められた構造化情報および設計情報を受け付けて前記少なくともいずれかの情報を変更するものであることを特徴とする請求項１７〜２０のいずれか１つに記載の情報処理端末。
【請求項２２】
前記文書表示変更手段は、読み込んだ所定の文書が領域分割されて生成された領域分割画像情報から生成された構造化情報および設計情報に基づいて、前記文書画像情報を変更する変更要求信号を生成するものであることを特徴とする請求項１７〜２１のいずれか１つに記載の情報処理端末。
【請求項２３】
前記文書表示変更手段は、読み込んだ任意に描画された仕上がりイメージ図が領域分割されて生成された領域分割画像情報から生成された構造化情報および設計情報に基づいて、前記文書画像情報を変更する変更要求信号を生成するものであることを特徴とする請求項１７〜２２のいずれか１つに記載の情報処理端末。
【請求項２４】
電子文書を入力し、表示形態に変更処理を施し、出力手段に出力させる情報処理端末であって、
前記電子文書から抽出されコード化された文字情報および画像情報、前記文字情報および画像情報における構造的意味の情報である構造化情報、ならびに前記文字情報および画像情報における表示形態を設計する設計情報を入力する入力手段と、
前記入力手段によって入力された前記構造化情報および設計情報の少なくともいずれかの情報を変更する変更要求信号を受け付けて変更する文書表示変更手段と、
前記文書表示変更手段が変更した前記文字情報および画像情報、構造化情報および設計情報の少なくともいずれかの情報に基づいて前記電子文書を再構成して前記出力手段に出力させる文書再構成手段と、
を備えたものであることを特徴とする情報処理端末。
【請求項２５】
ネットワークに接続され、電子的に読み取られた文書の文書画像情報を入力し、文書中の画像の意味を構造化し、パラメータを介して表示形態を変化可能に再構成した文書再構成情報を、送受信手段を介して前記ネットワーク経由で送受信する情報処理サーバと、
前記ネットワークに接続され、前記情報処理サーバから前記ネットワークを介して送信される前記文書再構成情報を、送受信手段を介して受信し、前記文書の表示形態の変更を要求する変更要求信号の入力を受け付ける情報処理端末と、
前記ネットワークに接続され、前記情報処理端末によって受け付けられた変更要求信号を受信した前記情報処理サーバによって表示形態が変更された前記文書を出力する出力装置と、
を備えた情報処理システムの情報処理方法であって、
前記情報処理サーバの領域分割手段によって、入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割工程と、
構造化情報生成手段によって、前記領域分割手段によって生成された領域分割画像情報の文書中における構造的意味を解析して構造化情報を生成する構造化情報生成工程と、
設計情報生成手段によって、前記領域分割画像情報の前記文書画像情報における表示形態を設計する設計情報を生成する設計情報生成工程と、
文書再構成手段によって、前記領域分割画像情報、前記構造化情報生成手段の生成した構造化情報、および前記設計情報生成手段の生成した設計情報に基づいて前記文書を再構成して前記出力装置に出力させる文書再構成工程と、
前記領域分割画像情報、前記構造化情報、および前記設計情報の少なくともいずれかを、前記送受信手段を介して前記情報処理端末に送信する送信工程を含み、
前記情報処理端末の文書再構成手段によって、前記ネットワーク経由で前記少なくともいずれかの情報を、前記送受信手段を介して受信して再構成する文書再構成工程と、
前記文書再構成手段によって再構成された文書を表示する表示工程と、
文書表示変更手段によって、前記少なくともいずれかの情報に対する変更を前記ネットワークを介して前記情報処理サーバに要求する変更要求信号を受け付ける文書表示変更工程と、
前記送受信手段を介して前記情報処理サーバに、前記変更要求信号を送信する送信工程とを含み、
前記情報処理サーバの送受信手段によって、前記情報処理端末が送信した前記変更要求信号を受信する受信工程と、
前記文書再構成手段によって、受信した前記変更要求信号に基づいて前記領域分割画像情報、構造化情報および設計情報の少なくともいずれかの情報を変更し、変更後の前記構造化情報および設計情報に基づいて前記出力装置に前記文書画像情報を出力させる文書再構成工程と、を含むことを特徴とする情報処理方法。
【請求項２６】
ネットワークに接続し、電子文書を入力して文書および画像の意味を構造化し表示形態を変化可能に再構成する文書再構成情報を、送受信手段を介して前記ネットワーク経由で送受信する情報処理サーバと、
前記ネットワークに接続し、前記情報処理サーバから前記ネットワークを介して送信される前記文書再構成情報を、送受信手段を介して受信し、前記文書の表示形態の変更を要求する変更要求信号の入力を受け付ける情報処理端末と、
前記ネットワークに接続し、前記情報処理端末によって受け付けられた変更要求信号を受信した前記情報処理サーバによって表示形態が変更された前記文書を出力する出力装置と、
を備えた情報処理システムにおける情報処理方法であって、
前記情報処理サーバにおいて、
文字画像抽出手段によって、入力した前記電子文書からコード化された文字情報および画像情報を抽出する文字画像抽出工程と、
構造化情報生成手段によって、前記文字画像抽出工程で抽出された文字情報および画像情報の文書中における構造的意味を解析して構造化情報を生成する構造化情報生成工程と、
設計情報生成手段によって、前記文字情報および画像情報の表示形態を設計する設計情報を生成する設計情報生成工程と、
文書再構成手段によって、前記文字情報および画像情報、前記構造化情報生成工程で生成した構造化情報、および前記設計情報生成手段の生成した設計情報に基づいて前記文書を再構成して前記出力装置に出力させる文書再構成工程と、
を含み、前記文字情報および画像情報、前記構造化情報、ならびに前記設計情報の少なくともいずれかの情報を、前記送受信手段を介して前記情報処理端末に送信するものであり、
前記情報処理端末において、
文書再構成手段によって、前記ネットワーク経由で前記少なくともいずれかの情報を、前記送受信手段を介して受信して再構成する文書再構成工程と、
表示手段によって、前記文書再構成工程によって再構成された文書を表示する表示工程と、
文書表示変更手段によって、前記少なくともいずれかの情報に対する変更を前記ネットワークを介して前記情報処理サーバに要求する変更要求信号を受け付ける文書表示変更工程と、
前記送受信手段を介して前記情報処理サーバに、前記変更要求信号を送信する送信工程とを、含み、
前記情報処理サーバにおいて、
前記情報処理端末が送信した前記変更要求信号を受信する受信工程と、
前記文書再構成手段は、受信した前記変更要求信号に基づいて前記文字情報および画像情報、構造化情報および設計情報の少なくともいずれかの情報を変更し、変更後の前記文字情報および画像情報、構造化情報および設計情報に基づいて再構成した前記電子文書を前記出力装置に出力させる出力工程とを含むものであることを特徴とする情報処理方法。
【請求項２７】
電子的に読み取られた文書の文書画像情報を入力し、文書中の画像の意味を構造化し、パラメータを介して表示形態を変化可能に再構成した文書再構成情報に基づいて前記文書を出力手段を介して出力する情報処理装置における情報処理方法であって、
領域分割手段によって、入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割工程と、
構造化情報生成手段によって、前記領域分割手段によって生成された領域分割画像情報の文書中における構造的意味を解析して構造化情報を生成する構造化情報生成工程と、
設計情報生成手段によって、前記領域分割画像情報の前記文書画像情報における表示形態を設計する設計情報を生成する設計情報生成工程と、
文書再構成手段によって、前記領域分割画像情報、前記構造化情報生成手段の生成した構造化情報、および前記設計情報生成手段の生成した設計情報に基づいて前記文書を再構成して前記出力手段に出力させる文書再構成工程と、
文書表示変更手段によって、前記領域分割画像情報、前記構造化情報、および前記設計情報の少なくともいずれかの情報に対する変更を要求する変更要求信号を受け付ける文書表示変更工程と、
前記文書再構成手段によって、前記文書表示変更手段が受け付けた変更要求信号に基づいて、前記領域分割画像情報、構造化情報および設計情報の少なくともいずれかの情報を変更し、変更後の前記構造化情報および設計情報に基づいて前記出力手段に前記文書画像情報を出力させる出力工程とを含むことを特徴とする情報処理方法。
【請求項２８】
電子文書を入力して文書および画像の意味を構造化し表示形態を変化可能に再構成し、前記電子文書を出力手段を介して出力する情報処理装置における情報処理方法であって、
文字画像抽出手段によって、入力した前記電子文書からコード化された文字情報および画像情報を抽出する文字画像抽出工程と、
構造化情報生成手段によって、前記文字画像抽出工程で抽出された文字情報および画像情報の文書中における構造的意味を解析して構造化情報を生成する構造化情報生成工程と、
前記文字情報および画像情報の表示形態を設計する設計情報を生成する設計情報生成工程と、
文書再構成手段によって、前記文字情報および画像情報、前記構造化情報生成工程で生成した構造化情報、ならびに前記設計情報生成工程で生成した設計情報に基づいて前記文書を再構成して前記出力手段に出力させる文書再構成工程と、
文書表示変更手段によって、前記構造化情報および前記設計情報の少なくともいずれかの情報に対する変更を要求する変更要求信号を受け付ける文書表示変更工程と、を備え、
前記文書再構成手段によって、前記文書表示変更工程で受け付けた前記変更要求信号に基づいて前記少なくともいずれかの情報を変更し、変更された前記少なくともいずれかの情報に基づいて前記電子文書を再構成して前記出力手段に出力させる出力工程を含むことを特徴とする情報処理方法。
【請求項２９】
文書画像情報を入力し、表示形態に変更処理を施し、出力手段に出力させる情報処理端末における情報処理方法であって、
入力手段によって、文書画像情報が、文字画像情報および非文字画像情報のいずれかに判別され、判別された文字画像情報に対しては文字ごとの文字画像情報に領域分割し、かつ判別された非文字画像情報に対しては画像ごとの非文字画像情報に領域分割された領域分割画像情報と、前記領域分割画像情報の文書中における構造的意味の情報である構造化情報と、前記領域分割画像情報の前記文書画像情報における表示形態を設計する設計情報とを入力する入力工程と、
文書表示変更手段によって、前記入力手段によって入力された前記領域分割画像情報、構造化情報、および設計情報の少なくともいずれかの情報を変更する変更要求信号を受け付けて変更する文書表示変更工程と、
文書再構成手段によって、前記文書表示変更手段が前記少なくともいずれかの情報を変更した後の前記領域分割画像情報、構造化情報、および設計情報に基づいて前記文書画像情報を再構成して前記出力手段に出力させる文書再構成工程と、を含むことを特徴とする情報処理方法。
【請求項３０】
電子文書を入力し、表示形態に変更処理を施し、出力手段に出力させる情報処理端末における情報処理方法であって、
入力手段によって、前記電子文書から抽出されコード化された文字情報および画像情報、前記文字情報および画像情報における構造的意味の情報である構造化情報、ならびに前記文字情報および画像情報における表示形態を設計する設計情報を入力する入力工程と、
文書表示変更手段によって、前記入力工程で入力された前記構造化情報および設計情報の少なくともいずれかの情報を変更する変更要求信号を受け付けて変更する文書表示変更工程と、
文書再構成手段によって、前記文書表示変更工程で変更した前記構造化情報および設計情報の少なくともいずれかの情報に基づいて前記電子文書を再構成して前記出力手段に出力させる文書再構成工程と、
を備えたものであることを特徴とする情報処理方法。
【請求項３１】
請求項２５〜３０のいずれか１つに記載の情報処理方法をコンピュータに実行させることを特徴とするプログラム。
【請求項３２】
請求項３１に記載のプログラムを格納したことを特徴とするコンピュータ読み取り可能な記録媒体。
【発明の詳細な説明】
【技術分野】
【０００１】
本発明は、情報処理システム、情報処理装置、情報処理端末、情報処理方法、その方法をコンピュータで実行するプログラム、および記録媒体に関し、特に、文書を利用する側において表示形態を変えることができる文書情報を生成する情報処理システム、情報処理装置、情報処理端末、情報処理方法、その方法をコンピュータで実行するプログラム、および記録媒体に関する。
【背景技術】
【０００２】
一般的に作成される文書の多くは、特定の指定された書式、または作成者が見やすい、あるいは読みやすいと考える書式で記述されている。しかしながら、この様な形式で記述された文書が万人にとって見やすい・読みやすい文書であるかというと、必ずしもそうではない。
【０００３】
文書を不特定多数が閲覧する場合、閲覧者の中には視覚に障害を持つ人々が含まれることが予想され、これらの人々に対する配慮が行なわれることが望まれる。しかしながら現状では、文書の書式は一般的に作成者に委ねられており、また書式が定められているものに関しても前記のような配慮は見られない。
【０００４】
文書の見栄えを扱う技術として、特許文献１の技術は、利用者がデザインのイメージを表すキーワードを選択するなど簡単なデザイン指示を行なうだけで文書を指示されたデザインに加工して出力を行なっている。
【０００５】
また、近年、ユニバーサルデザインの思想の広まりに伴い、特に企業の間で色覚に障害を持つ人々に配慮したホームページ作りに対する取り組みが広がっている。特許文献２の技術は、色覚に障害を持つ人々にも障害を持たない人々と同等の情報を得られるようにするためのカラーパレット生成方法および方式である。また、特許文献３は赤緑色覚に障害を持つ人々に識別しにくい色を、自動的に他の色に変換するシステムを開示している。
【０００６】
【特許文献１】特開平６−１６８３１０号公報
【特許文献２】特開２０００−３０６０７４号公報
【特許文献３】特開平１１−１７５０５０号公報
【発明の開示】
【発明が解決しようとする課題】
【０００７】
しかしながら、特許文献１の技術は書式を整えることを主眼としていて、登録された特定の書式に変換することはできるものの、それ以上に利用者にとって最適な書式や形式に変換して表示することはできなかった。
【０００８】
また、視覚障害は色覚障害だけではなく、視覚障害の程度には個人差があって、相当の自由度が必要になるにもかかわらず、特許文献２および３の技術では、対応できないという問題があった。また、特に視覚に障害を持っていない人々であっても、書式によっては文書が読みにくく感じることもあるが、このような個人差による最適化のバリエーションに特許文献２および３の技術では、対応できないという問題があった。即ち、広範な人々の視覚特性をカバーするように作成された文書がそれを閲覧する人々にとって本当に見やすい、読みやすい文書であるかというと、必ずしもそうではないという問題に、特許文献１，２および３の技術では対応できないという問題があった。
【０００９】
このように、従来は文書が作成者が利用者に文書を「どの様な見栄えで見せたいか」という観点から作成されており、その結果として文書を「どの様な見栄えで見るか」という見栄えの選択の自由度が利用者に存在しないという問題があった。
【００１０】
本発明はこのような問題に鑑みてなされ、その目的は、文書を表示して利用する利用者が、最適化された表示形態で利用することができる情報処理システム、情報処理装置、情報処理端末、情報処理方法、その方法をコンピュータで実行するプログラム、および記録媒体を提供することである。
【課題を解決するための手段】
【００１１】
請求項１にかかる発明は、ネットワークに接続され、電子的に読み取られた文書の文書画像情報を入力し、文書中の画像の意味を構造化し、パラメータを介して表示形態を変化可能に再構成した文書再構成情報を、送受信手段を介して前記ネットワーク経由で送受信する情報処理サーバと、前記ネットワークに接続され、前記情報処理サーバから前記ネットワークを介して送信される前記文書再構成情報を、送受信手段を介して受信し、前記文書の表示形態の変更を要求する変更要求信号の入力を受け付ける情報処理端末と、前記ネットワークに接続され、前記情報処理端末によって受け付けられた変更要求信号を受信した前記情報処理サーバによって表示形態が変更された前記文書を出力する出力装置と、を備えた情報処理システムであって、前記情報処理サーバは、入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割手段と、前記領域分割手段によって生成された領域分割画像情報の文書中における構造的意味を解析して構造化情報を生成する構造化情報生成手段と、前記領域分割画像情報の前記文書画像情報における表示形態を設計する設計情報を生成する設計情報生成手段と、前記領域分割画像情報、前記構造化情報生成手段の生成した構造化情報、および前記設計情報生成手段の生成した設計情報に基づいて前記文書を再構成して前記出力装置に出力させる文書再構成手段と、を備えて、前記領域分割画像情報、前記構造化情報、および前記設計情報の少なくともいずれかを、前記送受信手段を介して前記情報処理端末に送信するものであり、前記情報処理端末は、前記ネットワーク経由で前記少なくともいずれかの情報を、前記送受信手段を介して受信して再構成する文書再構成手段と、前記文書再構成手段によって再構成された文書を表示する表示手段と、前記少なくともいずれかの情報に対する変更を前記ネットワークを介して前記情報処理サーバに要求する変更要求信号を受け付ける文書表示変更手段と、を備えて、前記送受信手段を介して前記情報処理サーバに、前記変更要求信号を送信するものであり、前記情報処理サーバは、前記情報処理端末が送信した前記変更要求信号を受信して、前記文書再構成手段は、受信した前記変更要求信号に基づいて前記領域分割画像情報、構造化情報および設計情報の少なくともいずれかの情報を変更し、変更後の前記構造化情報および設計情報に基づいて前記出力装置に前記文書画像情報を出力させるものであることを特徴とする。
【００１２】
請求項２にかかる発明は、請求項１に記載の情報処理システムにおいて、前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含む設計情報を生成するものであることを特徴とする。
【００１３】
請求項３にかかる発明は、請求項１または２に記載の情報処理システムにおいて、前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含む設計情報を生成するものであることを特徴とする。
【００１４】
請求項４にかかる発明は、請求項１〜３のいずれか１つに記載の情報処理システムにおいて、前記構造化情報生成手段は、前記文字画像情報に対して文字認識処理を施す文字認識手段と、前記文字認識手段によって認識された文字情報を透明テキスト情報の形で前記文字画像要素に付加する透明テキスト付加手段と、をさらに備えたことを特徴とする。
【００１５】
請求項５にかかる発明は、請求項１〜４のいずれか１つに記載の情報処理システムにおいて、前記文書表示変更手段は、予め定められた構造化情報および設計情報を受け付けて前記少なくともいずれかの情報を変更するものであることを特徴とする。
【００１６】
請求項６にかかる発明は、請求項１〜５のいずれか１つに記載の情報処理システムにおいて、前記文書表示変更手段は、読み込んだ所定の文書が前記領域分割手段によって領域分割されて生成された領域分割画像情報から、前記構造化情報生成手段および設計情報生成手段によって生成された構造化情報および設計情報に基づいて、前記文書画像情報を変更する変更要求信号を生成するものであることを特徴とする。
【００１７】
請求項７にかかる発明は、請求項１〜６のいずれか１つに記載の情報処理システムにおいて、前記文書表示変更手段は、読み込んだ任意に描画された仕上がりイメージ図から、前記構造化情報生成手段および設計情報生成手段によって生成された構造化情報および設計情報に基づいて、前記文書画像情報を変更する変更要求信号を生成するものであることを特徴とする。
【００１８】
請求項８にかかる発明は、ネットワークに接続し、電子文書を入力して文書および画像の意味を構造化し表示形態を変化可能に再構成する文書再構成情報を、送受信手段を介して前記ネットワーク経由で送受信する情報処理サーバと、前記ネットワークに接続し、前記情報処理サーバから前記ネットワークを介して送信される前記文書再構成情報を、送受信手段を介して受信し、前記文書の表示形態の変更を要求する変更要求信号の入力を受け付ける情報処理端末と、前記ネットワークに接続し、前記情報処理端末によって受け付けられた変更要求信号を受信した前記情報処理サーバによって表示形態が変更された前記文書を出力する出力装置と、を備えた情報処理システムであって、前記情報処理サーバは、入力した前記電子文書からコード化された文字情報および画像情報を抽出する文字画像抽出手段と、前記文字画像抽出手段によって抽出された文字情報および画像情報の文書中における構造的意味を解析して構造化情報を生成する構造化情報生成手段と、前記文字情報および画像情報の表示形態を設計する設計情報を生成する設計情報生成手段と、前記文字情報および画像情報、前記構造化情報生成手段の生成した構造化情報、および前記設計情報生成手段の生成した設計情報に基づいて前記文書を再構成して前記出力装置に出力させる文書再構成手段と、を備えて、前記文字情報および画像情報、前記構造化情報、ならびに前記設計情報の少なくともいずれかの情報を、前記送受信手段を介して前記情報処理端末に送信するものであり、前記情報処理端末は、前記ネットワーク経由で前記少なくともいずれかの情報を、前記送受信手段を介して受信して再構成する文書再構成手段と、前記文書再構成手段によって再構成された文書を表示する表示手段と、前記少なくともいずれかの情報に対する変更を前記ネットワークを介して前記情報処理サーバに要求する変更要求信号を受け付ける文書表示変更手段と、を備えて、前記送受信手段を介して前記情報処理サーバに、前記変更要求信号を送信するものであり、前記情報処理サーバは、前記情報処理端末が送信した前記変更要求信号を受信して、前記文書再構成手段は、受信した前記変更要求信号に基づいて前記文字情報および画像情報、構造化情報および設計情報の少なくともいずれかの情報を変更し、変更後の前記文字情報および画像情報、構造化情報および設計情報に基づいて再構成した前記電子文書を前記出力装置に出力させるものであることを特徴とする。
【００１９】
請求項９にかかる発明は、電子的に読み取られた文書の文書画像情報を入力し、文書中の画像の意味を構造化し、パラメータを介して表示形態を変化可能に再構成した文書再構成情報に基づいて前記文書を出力手段を介して出力する情報処理装置であって、入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割手段と、前記領域分割手段によって生成された領域分割画像情報の文書中における構造的意味を解析して構造化情報を生成する構造化情報生成手段と、前記領域分割画像情報の前記文書画像情報における表示形態を設計する設計情報を生成する設計情報生成手段と、前記領域分割画像情報、前記構造化情報生成手段の生成した構造化情報、および前記設計情報生成手段の生成した設計情報に基づいて前記文書を再構成して前記出力手段に出力させる文書再構成手段と、前記領域分割画像情報、前記構造化情報、および前記設計情報の少なくともいずれかの情報に対する変更を要求する変更要求信号を受け付ける文書表示変更手段と、を備え、前記文書再構成手段は、前記文書表示変更手段が受け付けた要求信号に基づいて、前記領域分割画像情報、構造化情報および設計情報の少なくともいずれかの情報を変更し、変更後の前記構造化情報および設計情報に基づいて前記出力手段に前記文書画像情報を出力させるものであることを特徴とする。
【００２０】
請求項１０にかかる発明は、請求項９に記載の情報処理装置において、前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含む設計情報を生成するものであることを特徴とする。
【００２１】
請求項１１にかかる発明は、請求項９または１０に記載の情報処理装置において、前記設計情報生成手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含む設計情報を生成するものであることを特徴とする。
【００２２】
請求項１２にかかる発明は、請求項９〜１１のいずれか１つに記載の情報処理装置において、前記構造化情報生成手段は、前記文字画像情報に対して文字認識処理を施す文字認識手段と、前記文字認識手段によって認識された文字情報を透明テキスト情報の形で前記文字画像要素に付加する透明テキスト付加手段と、をさらに備えたことを特徴とする。
【００２３】
請求項１３にかかる発明は、請求項９〜１２のいずれか１つに記載の情報処理装置において、前記文書表示変更手段は、予め定められた構造化情報および設計情報を受け付けて前記少なくともいずれかの情報を変更するものであることを特徴とする。
【００２４】
請求項１４にかかる発明は、請求項９〜１３のいずれか１つに記載の情報処理装置において、前記文書表示変更手段は、読み込んだ所定の文書が前記領域分割手段によって領域分割されて生成された領域分割画像情報から、前記構造化情報生成手段および設計情報生成手段によって生成された構造化情報および設計情報に基づいて、前記文書画像情報を変更する変更要求信号を生成するものであることを特徴とする。
【００２５】
請求項１５にかかる発明は、請求項９〜１４のいずれか１つに記載の情報処理装置において、前記文書表示変更手段は、読み込んだ任意に描画された仕上がりイメージ図から、前記構造化情報生成手段および設計情報生成手段によって生成された構造化情報および設計情報に基づいて、前記文書画像情報を変更する変更要求信号を生成するものであることを特徴とする。
【００２６】
請求項１６にかかる発明は、電子文書を入力して文書および画像の意味を構造化し表示形態を変化可能に再構成し、前記電子文書を出力手段を介して出力する情報処理装置であって、入力した前記電子文書からコード化された文字情報および画像情報を抽出する文字画像抽出手段と、前記文字画像抽出手段によって抽出された文字情報および画像情報の文書中における構造的意味を解析して構造化情報を生成する構造化情報生成手段と、前記文字情報および画像情報の表示形態を設計する設計情報を生成する設計情報生成手段と、前記文字情報および画像情報、前記構造化情報生成手段の生成した構造化情報、ならびに前記設計情報生成手段の生成した設計情報に基づいて前記文書を再構成して前記出力手段に出力させる文書再構成手段と、前記文字情報および画像情報、構造化情報および設計情報の少なくともいずれかの情報に対する変更を要求する変更要求信号を受け付ける文書表示変更手段と、を備え、前記文書再構成手段は、前記文書表示変更手段が受け付けた前記変更要求信号に基づいて前記少なくともいずれかの情報を変更し、変更された前記少なくともいずれかの情報に基づいて前記電子文書を再構成して前記出力手段に出力させるものであることを特徴とする。
【００２７】
請求項１７にかかる発明は、文書画像情報を入力し、表示形態に変更処理を施し、出力手段に出力させる情報処理端末であって、前記文書画像情報が、文字画像情報および非文字画像情報のいずれかに判別され、判別された文字画像情報に対しては文字ごとの文字画像情報に領域分割し、かつ判別された非文字画像情報に対しては画像ごとの非文字画像情報に領域分割された領域分割画像情報と、前記領域分割画像情報の文書中における構造的意味の情報である構造化情報と、前記領域分割画像情報の前記文書画像情報における表示形態を設計する設計情報とを入力する入力手段と、前記入力手段によって入力された前記領域分割画像情報、構造化情報、および設計情報の少なくともいずれかの情報を変更する変更要求信号を受け付けて変更する文書表示変更手段と、前記文書表示変更手段が前記少なくともいずれかの情報を変更した後の前記領域分割画像情報、構造化情報、および設計情報に基づいて前記文書画像情報を再構成して前記出力手段に出力させる文書再構成手段と、を備えたものであることを特徴とする。
【００２８】
請求項１８にかかる発明は、請求項１７に記載の情報処理端末において、前記入力手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含む設計情報を入力するものであることを特徴とする。
【００２９】
請求項１９にかかる発明は、請求項１７または１８に記載の情報処理端末において、前記入力手段は、前記文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含む設計情報を入力するものであることを特徴とする。
【００３０】
請求項２０にかかる発明は、請求項１７〜１９のいずれか１つに記載の情報処理端末において、前記入力手段は、前記文字情報に対して付加された透明テキスト情報を含む設計情報を入力するものであることを特徴とする。
【００３１】
請求項２１にかかる発明は、請求項１７〜２０のいずれか１つに記載の情報処理端末において、前記文書表示変更手段は、予め定められた構造化情報および設計情報を受け付けて前記少なくともいずれかの情報を変更するものであることを特徴とする。
【００３２】
請求項２２にかかる発明は、請求項１７〜２１のいずれか１つに記載の情報処理端末において、前記文書表示変更手段は、読み込んだ所定の文書が領域分割されて生成された領域分割画像情報から生成された構造化情報および設計情報に基づいて、前記文書画像情報を変更する変更要求信号を生成するものであることを特徴とする。
【００３３】
請求項２３にかかる発明は、請求項１７〜２２のいずれか１つに記載の情報処理端末において、前記文書表示変更手段は、読み込んだ任意に描画された仕上がりイメージ図が領域分割されて生成された領域分割画像情報から生成された構造化情報および設計情報に基づいて、前記文書画像情報を変更する変更要求信号を生成するものであることを特徴とする。
【００３４】
請求項２４にかかる発明は、電子文書を入力し、表示形態に変更処理を施し、出力手段に出力させる情報処理端末であって、前記電子文書から抽出されコード化された文字情報および画像情報、前記文字情報および画像情報における構造的意味の情報である構造化情報、ならびに前記文字情報および画像情報における表示形態を設計する設計情報を入力する入力手段と、前記入力手段によって入力された前記構造化情報および設計情報の少なくともいずれかの情報を変更する変更要求信号を受け付けて変更する文書表示変更手段と、前記文書表示変更手段が変更した前記文字情報および画像情報、構造化情報および設計情報の少なくともいずれかの情報に基づいて前記電子文書を再構成して前記出力手段に出力させる文書再構成手段と、を備えたものであることを特徴とする。
【００３５】
請求項２５にかかる発明は、ネットワークに接続され、電子的に読み取られた文書の文書画像情報を入力し、文書中の画像の意味を構造化し、パラメータを介して表示形態を変化可能に再構成した文書再構成情報を、送受信手段を介して前記ネットワーク経由で送受信する情報処理サーバと、前記ネットワークに接続され、前記情報処理サーバから前記ネットワークを介して送信される前記文書再構成情報を、送受信手段を介して受信し、前記文書の表示形態の変更を要求する変更要求信号の入力を受け付ける情報処理端末と、前記ネットワークに接続され、前記情報処理端末によって受け付けられた変更要求信号を受信した前記情報処理サーバによって表示形態が変更された前記文書を出力する出力装置と、を備えた情報処理システムの情報処理方法であって、前記情報処理サーバの領域分割手段によって、入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割工程と、構造化情報生成手段によって、前記領域分割手段によって生成された領域分割画像情報の文書中における構造的意味を解析して構造化情報を生成する構造化情報生成工程と、設計情報生成手段によって、前記領域分割画像情報の前記文書画像情報における表示形態を設計する設計情報を生成する設計情報生成工程と、文書再構成手段によって、前記領域分割画像情報、前記構造化情報生成手段の生成した構造化情報、および前記設計情報生成手段の生成した設計情報に基づいて前記文書を再構成して前記出力装置に出力させる文書再構成工程と、前記領域分割画像情報、前記構造化情報、および前記設計情報の少なくともいずれかを、前記送受信手段を介して前記情報処理端末に送信する送信工程を含み、前記情報処理端末の文書再構成手段によって、前記ネットワーク経由で前記少なくともいずれかの情報を、前記送受信手段を介して受信して再構成する文書再構成工程と、前記文書再構成手段によって再構成された文書を表示する表示工程と、文書表示変更手段によって、前記少なくともいずれかの情報に対する変更を前記ネットワークを介して前記情報処理サーバに要求する変更要求信号を受け付ける文書表示変更工程と、前記送受信段を介して前記情報処理サーバに、前記変更要求信号を送信する送信工程とを含み、前記情報処理サーバの送受信手段によって、前記情報処理端末が送信した前記変更要求信号を受信する受信工程と、前記文書再構成手段によって、受信した前記変更要求信号に基づいて前記領域分割画像情報、構造化情報および設計情報の少なくともいずれかの情報を変更し、変更後の前記構造化情報および設計情報に基づいて前記出力装置に前記文書画像情報を出力させる文書再構成工程と、を含むことを特徴とする。
【００３６】
請求項２６にかかる発明は、ネットワークに接続し、電子文書を入力して文書および画像の意味を構造化し表示形態を変化可能に再構成する文書再構成情報を、送受信手段を介して前記ネットワーク経由で送受信する情報処理サーバと、前記ネットワークに接続し、前記情報処理サーバから前記ネットワークを介して送信される前記文書再構成情報を、送受信手段を介して受信し、前記文書の表示形態の変更を要求する変更要求信号の入力を受け付ける情報処理端末と、前記ネットワークに接続し、前記情報処理端末によって受け付けられた変更要求信号を受信した前記情報処理サーバによって表示形態が変更された前記文書を出力する出力装置と、を備えた情報処理システムにおける情報処理方法であって、前記情報処理サーバにおいて、文字画像抽出手段によって、入力した前記電子文書からコード化された文字情報および画像情報を抽出する文字画像抽出工程と、構造化情報生成手段によって、前記文字画像抽出工程で抽出された文字情報および画像情報の文書中における構造的意味を解析して構造化情報を生成する構造化情報生成工程と、設計情報生成手段によって、前記文字情報および画像情報の表示形態を設計する設計情報を生成する設計情報生成工程と、文書再構成手段によって、前記文字情報および画像情報、前記構造化情報生成工程で生成した構造化情報、および前記設計情報生成手段の生成した設計情報に基づいて前記文書を再構成して前記出力装置に出力させる文書再構成工程と、を含み、前記文字情報および画像情報、前記構造化情報、ならびに前記設計情報の少なくともいずれかの情報を、前記送受信手段を介して前記情報処理端末に送信するものであり、前記情報処理端末において、文書再構成手段によって、前記ネットワーク経由で前記少なくともいずれかの情報を、前記送受信手段を介して受信して再構成する文書再構成工程と、表示手段によって、前記文書再構成工程によって再構成された文書を表示する表示工程と、文書表示変更手段によって、前記少なくともいずれかの情報に対する変更を前記ネットワークを介して前記情報処理サーバに要求する変更要求信号を受け付ける文書表示変更工程と、前記送受信手段を介して前記情報処理サーバに、前記変更要求信号を送信する送信工程とを、含み、前記情報処理サーバにおいて、前記情報処理端末が送信した前記変更要求信号を受信する受信工程と、前記文書再構成手段は、受信した前記変更要求信号に基づいて前記文字情報および画像情報、構造化情報および設計情報の少なくともいずれかの情報を変更し、変更後の前記文字情報および画像情報、構造化情報および設計情報に基づいて再構成した前記電子文書を前記出力装置に出力させる出力工程とを含むものであることを特徴とする。
【００３７】
請求項２７にかかる発明は、電子的に読み取られた文書の文書画像情報を入力し、文書中の画像の意味を構造化し、パラメータを介して表示形態を変化可能に再構成した文書再構成情報に基づいて前記文書を出力手段を介して出力する情報処理装置における情報処理方法であって、領域分割手段によって、入力した前記文書画像情報を、文字画像情報および非文字画像情報のいずれかに判別し、判別された文字画像情報に対しては文字ごとの文字画像情報に領域分割し、かつ判別された非文字画像情報に対しては画像ごとの非文字画像情報に領域分割した領域分割画像情報を生成する領域分割工程と、構造化情報生成手段によって、前記領域分割手段によって生成された領域分割画像情報の文書中における構造的意味を解析して構造化情報を生成する構造化情報生成工程と、設計情報生成手段によって、前記領域分割画像情報の前記文書画像情報における表示形態を設計する設計情報を生成する設計情報生成工程と、文書再構成手段によって、前記領域分割画像情報、前記構造化情報生成手段の生成した構造化情報、および前記設計情報生成手段の生成した設計情報に基づいて前記文書を再構成して前記出力手段に出力させる文書再構成工程と、文書表示変更手段によって、前記領域分割画像情報、前記構造化情報、および前記設計情報の少なくともいずれかの情報に対する変更を要求する変更要求信号を受け付ける文書表示変更工程と、前記文書再構成手段によって、前記文書表示変更手段が受け付けた変更要求信号に基づいて、前記領域分割画像情報、構造化情報および設計情報の少なくともいずれかの情報を変更し、変更後の前記構造化情報および設計情報に基づいて前記出力手段に前記文書画像情報を出力させる出力工程とを含むことを特徴とする。
【００３８】
請求項２８にかかる発明は、電子文書を入力して文書および画像の意味を構造化し表示形態を変化可能に再構成し、前記電子文書を出力手段を介して出力する情報処理装置における情報処理方法であって、文字画像抽出手段によって、入力した前記電子文書からコード化された文字情報および画像情報を抽出する文字画像抽出工程と、構造化情報生成手段によって、前記文字画像抽出工程で抽出された文字情報および画像情報の文書中における構造的意味を解析して構造化情報を生成する構造化情報生成工程と、前記文字情報および画像情報の表示形態を設計する設計情報を生成する設計情報生成工程と、文書再構成手段によって、前記文字情報および画像情報、前記構造化情報生成工程で生成した構造化情報、ならびに前記設計情報生成工程で生成した設計情報に基づいて前記文書を再構成して前記出力手段に出力させる文書再構成工程と、文書表示変更手段によって、前記構造化情報および前記設計情報の少なくともいずれかの情報に対する変更を要求する変更要求信号を受け付ける文書表示変更工程と、を備え、前記文書再構成手段によって、前記文書表示変更工程で受け付けた前記変更要求信号に基づいて前記少なくともいずれかの情報を変更し、変更された前記少なくともいずれかの情報に基づいて前記電子文書を再構成して前記出力手段に出力させる出力工程を含むことを特徴とする。
【００３９】
請求項２９にかかる発明は、文書画像情報を入力し、表示形態に変更処理を施し、出力手段に出力させる情報処理端末における情報処理方法であって、入力手段によって、文書画像情報が、文字画像情報および非文字画像情報のいずれかに判別され、判別された文字画像情報に対しては文字ごとの文字画像情報に領域分割し、かつ判別された非文字画像情報に対しては画像ごとの非文字画像情報に領域分割された領域分割画像情報と、前記領域分割画像情報の文書中における構造的意味の情報である構造化情報と、前記領域分割画像情報の前記文書画像情報における表示形態を設計する設計情報とを入力する入力工程と、文書表示変更手段によって、前記入力手段によって入力された前記領域分割画像情報、構造化情報、および設計情報の少なくともいずれかの情報を変更する変更要求信号を受け付けて変更する文書表示変更工程と、文書再構成手段によって、前記文書表示変更手段が前記少なくともいずれかの情報を変更した後の前記領域分割画像情報、構造化情報、および設計情報に基づいて前記文書画像情報を再構成して前記出力手段に出力させる文書再構成工程と、を含むことを特徴とする。
【００４０】
請求項３０にかかる発明は、電子文書を入力し、表示形態に変更処理を施し、出力手段に出力させる情報処理端末における情報処理方法であって、入力手段によって、前記電子文書から抽出されコード化された文字情報および画像情報、前記文字情報および画像情報における構造的意味の情報である構造化情報、ならびに前記文字情報および画像情報における表示形態を設計する設計情報を入力する入力工程と、文書表示変更手段によって、前記入力工程で入力された前記構造化情報および設計情報の少なくともいずれかの情報を変更する変更要求信号を受け付けて変更する文書表示変更工程と、文書再構成手段によって、前記文書表示変更工程で変更した前記文字情報および画像情報、構造化情報および設計情報の少なくともいずれかの情報に基づいて前記電子文書を再構成して前記出力手段に出力させる文書再構成工程と、を備えたものであることを特徴とする。
【００４１】
請求項３１にかかる発明は、プログラムであって、請求項２５〜３０のいずれか１つに記載の情報処理方法をコンピュータに実行させることを特徴とする。
【００４２】
請求項３２にかかる発明は、コンピュータ読み取り可能な記録媒体であって、請求項３１に記載のプログラムを格納したことを特徴とする。
【発明の効果】
【００４３】
請求項１にかかる発明によれば、情報処理サーバが、電子的に読み取られた文書の文書画像情報を、文字画像情報および非文字画像情報に判別して一文字ごとの文字画像情報および一画像ごとの非文字画像情報に領域分割し、領域分割画像情報の文書中における構造的意味を解析した構造化情報を生成し、領域分割画像情報の文書中における表示を設計する設計情報を生成し、領域分割画像情報、構造化情報、および設計情報を情報処理端末に送信する。情報処理端末は、これらの情報を受信し、表示の変更をネットワークを介して情報処理サーバに要求する。情報処理サーバは、情報処理端末が送信した変更要求信号を受信して、変更要求信号に基づいて領域分割画像情報、構造化情報および設計情報の少なくともいずれかの情報を変更し、変更に基づいて出力装置に文書画像情報を出力させる。この構成によって、利用者は利用者の嗜好やニーズに合わせた文書の表示を利用者側で行うことができる情報処理システムを提供できるという効果を奏する。
【００４４】
請求項２にかかる発明によれば、設計情報として、文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含むことによって、利用者は文書の見栄えを自由に変更して表示することができる情報処理システムを提供できるという効果を奏する。
【００４５】
請求項３にかかる発明によれば、設計情報として、文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数を含むことによって、利用者は文書の見栄えを自由に変更して表示することができる情報処理システムを提供できるという効果を奏する。
【００４６】
請求項４にかかる発明によれば、文字画像情報に対して文字認識処理を施して透明テキスト情報の形で文字画像要素に付加することによって、利用者は電子的に出力された際に検索を容易にし、また音声読み上げにも対応することができる情報処理システムを提供できるという効果を奏する。
【００４７】
請求項５にかかる発明によれば、予め定められた構造化情報および設計情報を受け付けて文書表示を変更するので、煩雑な手動による文書表示の変更作業ではなく、利用者側で一括して簡便に表示を変更することができる情報処理システムを提供できるという効果を奏する。
【００４８】
請求項６にかかる発明によれば、読み込んだ所定の文書に合わせた文書表示の変更をすることができるので、煩雑な手動による文書表示の変更作業ではなく、利用者側で簡便に表示を変更することができる情報処理システムを提供できるという効果を奏する。
【００４９】
請求項７にかかる発明によれば、読み込んだ任意に描画された仕上がりイメージ図に合わせた文書表示の変更をすることができるので、煩雑な手動による文書表示の変更作業ではなく、利用者側で簡便に表示を変更することができる情報処理システムを提供できるという効果を奏する。
【００５０】
請求項８にかかる発明によれば、情報処理サーバが、電子文書を、文字情報および画像情報に判別してコード化された文字情報および一画像ごとの非文字画像情報に判別し、文書中における構造的意味を解析した構造化情報を生成し、文書中における表示を設計する設計情報を生成し、文字画像情報、構造化情報、および設計情報を情報処理端末に送信する。情報処理端末は、これらの情報を受信し、表示の変更をネットワークを介して情報処理サーバに要求する。情報処理サーバは、情報処理端末が送信した変更要求信号を受信して、変更要求信号に基づいて文字情報および画像情報、構造化情報および設計情報の少なくともいずれかの情報を変更し、変更に基づいて出力装置に文書画像情報を出力させる。この構成によって、利用者は利用者の嗜好やニーズに合わせた電子文書の表示を利用者側で行うことができる情報処理システムを提供できるという効果を奏する。
【００５１】
請求項９にかかる発明によれば、電子的に読み取られた文書の文書画像情報を、文字画像情報および非文字画像情報に判別して領域分割画像情報を生成し、領域分割画像情報の文書中における構造的意味である構造化情報を生成し、領域分割画像情報の文書中における表示形態を設計する設計情報を生成し、領域分割画像情報、構造化情報、および設計情報に基づいて文書を再構成し、領域分割画像情報、構造化情報、および設計情報の少なくともいずれかの情報に対する変更を受け付けて、表示形態を変更して出力手段に文書画像情報を出力させる。この構成によって、利用者は利用者の嗜好やニーズに合わせた文書の表示を利用者側で行うことができる情報処理装置を提供できるという効果を奏する。
【００５２】
請求項１０にかかる発明によれば、設計情報として、文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含むことによって、利用者は文書の見栄えを自由に変更して表示することができる情報処理装置を提供できるという効果を奏する。
【００５３】
請求項１１にかかる発明によれば、設計情報として、文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含むことによって、利用者は文書の見栄えを自由に変更して表示することができる情報処理装置を提供できるという効果を奏する。
【００５４】
請求項１２にかかる発明によれば、文字画像情報に対して文字認識処理を施して透明テキスト情報の形で文字画像要素に付加することによって、利用者は電子的に出力された際に検索を容易にし、また音声読み上げにも対応することができる情報処理装置を提供できるという効果を奏する。
【００５５】
請求項１３にかかる発明によれば、予め定められた構造化情報および設計情報を受け付けて文書表示を変更するので、煩雑な手動による文書表示の変更作業ではなく、利用者側で一括して簡便に表示を変更することができる情報処理装置を提供できるという効果を奏する。
【００５６】
請求項１４にかかる発明によれば、読み込んだ所定の文書が領域分割手段に合わせた文書表示の変更をすることができるので、煩雑な手動による文書表示の変更作業ではなく、利用者側で一括して簡便に表示を変更することができる情報処理装置を提供できるという効果を奏する。
【００５７】
請求項１５にかかる発明によれば、読み込んだ任意に描画された仕上がりイメージ図に合わせた文書表示の変更をすることができるので、煩雑な手動による文書表示の変更作業ではなく、利用者側で一括して簡便に表示を変更することができる情報処理装置を提供できるという効果を奏する。
【００５８】
請求項１６にかかる発明によれば、電子文書を、コード化された文字および非文字画像情報に判別して文書中における構造的意味である構造化情報を生成し、文字および画像情報の文書中における表示形態を設計する設計情報を生成し、文字および画像情報、構造化情報、および設計情報に基づいて文書を再構成し、文字情報および画像情報、構造化情報および設計情報の少なくともいずれかの情報に対する変更を受け付けて、表示形態を変更して出力手段に文書画像情報を出力させる。この構成によって、利用者は利用者の嗜好やニーズに合わせた電子文書の表示を利用者側で行うことができる情報処理装置を提供できるという効果を奏する。
【００５９】
請求項１７にかかる発明によれば、入力した文書画像情報が、文字画像情報および非文字画像情報に判別され領域分割された領域分割画像情報と、領域分割画像情報の文書中における構造的意味の情報である構造化情報と、領域分割画像情報の文書画像情報における表示形態を設計する設計情報とを入力して少なくともいずれかの情報を変更する変更要求信号を受け付けて表示を変更して出力手段に出力させる。この構成によって、利用者の嗜好やニーズに合わせた文書の表示を利用者側で行うことができる情報処理端末を提供できるという効果を奏する。
【００６０】
請求項１８にかかる発明によれば、入力情報として、文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、並びにカラム数を含むことによって、利用者は文書の見栄えを自由に変更して表示することができる情報処理端末を提供できるという効果を奏する。
【００６１】
請求項１９にかかる発明によれば、入力情報として、文書画像情報中の文字サイズ、文字の種類、文字のスタイル、文字間距離、行間距離、１ページの文字数、１ページの行数、１ページのサイズ、余白の大きさ、文字の向き、ページの向き、縦および横を含む文字の向き、インデント幅、段落、文書のページ数、文字の色、背景色、文字の位置、文章の位置、画像の位置、画像の大きさ、文字画像要素領域の位置、文章画像要素領域の位置、図表画像要素領域の位置、前景要素領域の位置、背景要素領域の位置、各画像要素領域の大きさ、並びにカラム数のうちの少なくともいずれかを含むことによって、利用者は文書の見栄えを自由に変更して表示することができる情報処理端末を提供できるという効果を奏する。
【００６２】
請求項２０にかかる発明によれば、入力情報として、文字情報に対して付加された透明テキスト情報を含むことによって、検索を容易にし、また音声読み上げにも対応することができる情報処理端末を提供できるという効果を奏する。
【００６３】
請求項２１にかかる発明によれば、予め定められた構造化情報および設計情報を受け付けて文書表示を変更するので、煩雑な手動による文書表示の変更作業ではなく、利用者側で一括して簡便に表示を変更することができる情報処理端末を提供できるという効果を奏する。
【００６４】
請求項２２にかかる発明によれば、読み込んだ所定の文書に合わせた文書表示の変更をすることができるので、煩雑な手動による文書表示の変更作業ではなく、利用者側で一括して簡便に表示を変更することができる情報処理端末を提供できるという効果を奏する。
【００６５】
請求項２３にかかる発明によれば、読み込んだ任意に描画された仕上がりイメージ図に合わせた文書表示の変更をすることができるので、煩雑な手動による文書表示の変更作業ではなく、利用者側で一括して簡便に表示を変更することができる情報処理端末を提供できるという効果を奏する。
【００６６】
請求項２４にかかる発明によれば、入力した電子文書が、コード化された文字情報および画像情報と、文書中における文字情報および画像情報の構造的意味の情報である構造化情報と、文字情報および画像情報における表示形態を設計する設計情報とを入力して少なくともいずれかの情報を変更する変更要求信号を受け付けて表示を変更して出力手段に出力させる。この構成によって、利用者の嗜好やニーズに合わせた電子文書の表示を利用者側で行うことができる情報処理端末を提供できるという効果を奏する。
【００６７】
請求項２５にかかる発明によれば、情報処理サーバが、電子的に読み取られた文書の文書画像情報を、文字画像情報および非文字画像情報に判別して一文字ごとの文字画像情報および一画像ごとの非文字画像情報に領域分割し、領域分割画像情報の文書中における構造的意味を解析した構造化情報を生成し、領域分割画像情報の文書中における表示を設計する設計情報を生成し、領域分割画像情報、構造化情報、および設計情報を情報処理端末に送信する。情報処理端末は、これらの情報を受信し、表示の変更をネットワークを介して情報処理サーバに要求する。情報処理サーバは、情報処理端末が送信した変更要求信号を受信して、変更要求信号に基づいて領域分割画像情報、構造化情報および設計情報の少なくともいずれかの情報を変更し、変更に基づいて出力装置に文書画像情報を出力させる。この構成によって、利用者は利用者の嗜好やニーズに合わせた文書の表示を利用者側で行うことができる情報処理方法を提供できるという効果を奏する。
【００６８】
請求項２６にかかる発明によれば、情報処理サーバが、電子文書を、文字情報および画像情報に判別してコード化された文字情報および一画像ごとの非文字画像情報に判別し、文書中における構造的意味を解析した構造化情報を生成し、文書中における表示を設計する設計情報を生成し、文字画像情報、構造化情報、および設計情報を情報処理端末に送信する。情報処理端末は、これらの情報を受信し、表示の変更をネットワークを介して情報処理サーバに要求する。情報処理サーバは、情報処理端末が送信した変更要求信号を受信して、変更要求信号に基づいて文字情報および画像情報、構造化情報および設計情報の少なくともいずれかの情報を変更し、変更に基づいて出力装置に文書画像情報を出力させる。この構成によって、利用者は利用者の嗜好やニーズに合わせた電子文書の表示を利用者側で行うことができる情報処理システムにおける情報処理方法を提供できるという効果を奏する。
【００６９】
請求項２７にかかる発明によれば、電子的に読み取られた文書の文書画像情報を、文字画像情報および非文字画像情報に判別して領域分割画像情報を生成し、領域分割画像情報の文書中における構造的意味である構造化情報を生成し、領域分割画像情報の文書中における表示形態を設計する設計情報を生成し、領域分割画像情報、構造化情報、および設計情報に基づいて文書を再構成し、領域分割画像情報、構造化情報、および設計情報の少なくともいずれかの情報に対する変更を受け付けて、表示形態を変更して出力手段に文書画像情報を出力させる。この構成によって、利用者は利用者の嗜好やニーズに合わせた文書の表示を利用者側で行うことができる情報処理方法を提供できるという効果を奏する。
【００７０】
請求項２８にかかる発明によれば、電子文書を、コード化された文字情報および画像情報に判別して文書中における構造的意味である構造化情報を生成し、文字および画像情報の文書中における表示形態を設計する設計情報を生成し、文字および画像情報、構造化情報、および設計情報に基づいて文書を再構成し、領域分割画像情報、構造化情報および設計情報の少なくともいずれかの情報に対する変更を受け付けて、表示形態を変更して出力手段に文書画像情報を出力させる。この構成によって、利用者は利用者の嗜好やニーズに合わせた電子文書の表示を利用者側で行うことができる情報処理装置における情報処理方法を提供できるという効果を奏する。
【００７１】
請求項２９にかかる発明によれば、入力した文書画像情報が、文字画像情報および非文字画像情報に判別され領域分割された領域分割画像情報と、領域分割画像情報の文書中における構造的意味の情報である構造化情報と、領域分割画像情報の文書画像情報における表示形態を設計する設計情報とを入力して少なくともいずれかの情報を変更する変更要求信号を受け付けて表示を変更して出力手段に出力させる。この構成によって、利用者の嗜好やニーズに合わせた文書の表示を利用者側で行うことができる情報処理方法を提供できるという効果を奏する。
【００７２】
請求項３０にかかる発明によれば、入力した電子文書が、コード化された文字情報および画像情報と、文書中における文字情報および画像情報の構造的意味の情報である構造化情報と、文字情報および画像情報における表示形態を設計する設計情報とを入力して少なくともいずれかの情報を変更する変更要求信号を受け付けて表示を変更して出力手段に出力させる。この構成によって、利用者の嗜好やニーズに合わせた電子文書の表示を利用者側で行うことができる情報処理端末における情報処理方法を提供できるという効果を奏する。
【００７３】
請求項３１にかかる発明によれば、請求項２５〜３０のいずれか１つに記載の情報処理方法をコンピュータに実行させることができる情報処理プログラムを提供できるという効果を奏する。
【００７４】
請求項３２にかかる発明によれば、請求項３１に記載のプログラムをコンピュータに読み取らせることができる記録媒体を提供できるという効果を奏する。
【発明を実施するための最良の形態】
【００７５】
以下に添付図面を参照して、この発明にかかる情報処理システム、情報処理装置、情報処理端末、情報処理方法、その方法をコンピュータで実行するプログラム、および記録媒体の最良な実施の形態を、実施の形態１〜６、および変形例に沿って詳細に説明する。
【００７６】
（１．実施の形態１）
（１．１．全体構成）
実施の形態１による情報処理システムは、ネットワークを介して接続された構成で、スキャナが文書の原稿を読み取り、情報処理サーバが受信した文書を用途に応じた表示形態に再構成可能な処理を施し、クライアント端末であるパーソナルコンピュータ（ＰＣ）が操作者の表示要求を受け付け、受け付けられた表示要求に従って情報処理サーバが文書情報を再構成し、プリンタから印刷出力するものである。
【００７７】
図１は、実施の形態１による情報処理システムのネットワーク構成図である。図２は、情報処理システムにおける情報処理サーバの機能的ブロック図である。実施の形態１による情報処理システムは、図１に示すように、それぞれがネットワーク１に接続されたスキャナ２、プリンタ３、パーソナルコンピュータ４、情報処理サーバ５、そして文書データベース６を備える。
【００７８】
情報処理システムは、スキャナ２が文書の原稿を読み取り、情報処理サーバ５が受信した文書を用途に応じた表示形態に再構成可能な処理を施し、クライアント端末であるパーソナルコンピュータ（ＰＣ）４が操作者の文書表示形態を要求する信号を受け付け、受け付けられた要求信号に従って情報処理サーバ５が文書情報を再構成して表示形態を変更し、プリンタ３から印刷出力する。
【００７９】
（１．２．情報処理サーバの構成）
情報処理サーバ５は、図２に示すように、送受信部５１、画像情報領域分割部５２、構造的意味解析部５３、構造化記述部５４、設計情報抽出部５５、設計情報記述部５６、入出力制御部５７、文書再構成部５８、文書表示変更部５９、ＨＤＤ６０、および操作表示部６１を備える。
【００８０】
送受信部５１は、スキャナ２でスキャンされた原稿文書の情報を、文書画像情報として受信する。ＨＤＤ６０は、受信した文書画像情報を格納する。但し、原稿文書が予め文書画像情報として文書データベース６などに電子的に蓄積されている場合は、直接、読み出しても良い。蓄積場所の例として磁気ディスク、光ディスク、光磁気ディスク、半導体メモリを含む記憶媒体がある。
【００８１】
図３は、スキャナが読み取る原稿の一例の模式図である。ここで、画像としては、文字３０１、図表３０２、前景画像３０３，およびこの場合は灰色である地肌３０４から構成されている。図中、地肌は白色に見えるが、灰色に着色されているものとする。この原稿は、文字サイズや文字色、背景色、スタンプなどが原因で操作者にとって読みづらい文書であったとする。また、文章と図表が混在してレイアウトされているものとする。
【００８２】
画像情報領域分割部５２は、ＨＤＤ６０に格納された文書画像情報を読み出して、一文字単位の文字画像情報、一画像単位の図表画像情報、文書の前景画像情報、および文書の背景画像情報を判別して各領域に領域分割する。
【００８３】
ここで、文字画像情報と称するのは、スキャナ２によって読み取った文字情報は、画像情報の形式であるからである。背景画像とは、例えば、地肌画像のように、原稿において文字や図表の背景となっている画像を指す。図表画像とは、グラフ、表、あるいは写真画像など原稿中の一般的な非文字画像を指す。ここで、表の中の文字は文字画像として扱う。
【００８４】
前景画像とは、例えば、原稿となる文書の上にマル秘のスタンプが押印されていた場合、でき上がった原稿の上から前景のようにして追記された画像となるので、このように称する。実際上、前景画像は、例えば平行な罫線、垂直な枠組みなど通常の文書書式の規格から外れて挿入されている点が、図表画像と異なるとして判別可能である。あるいは、前景画像情報は、原稿画像情報から、上記の文字、図表、および背景画像情報を取り除いた部分として検出できる。これ以後、文字画像情報、図表画像情報、背景画像情報、前景画像情報をまとめて領域分割された画像情報と称し、簡略に画像情報と称する。
【００８５】
図４−１は、画像情報領域分割部によって領域分割された画像情報を説明する図である。図３に示した文書が領域分割されて、文字画像情報４０１、図表画像情報４０２、前景画像情報４０３、および背景画像情報４０４に分かれて、これら分割された画像情報がgif形式あるいはjpeg形式の画像情報として生成されていることを示している。図４−１中で、文字は通常の黒色に見えるが、灰色に着色されているものとする。
【００８６】
構造的意味解析部５３は、文書における画像情報の持つ構造上の意味を解析する。文書における構造上の意味とは、例えば、判別された文字列が、見出しであるか、本文であるか、図表であるか、あるいは図表についての説明であるかなど、文書中において占める構造的な意味のことである。
【００８７】
構造化記述部５４は、画像情報を構造的意味解析部５３によって解析されたそれぞれの構造的意味に従って、構造化された文書構造化文書として記述する。構造化記述部５４は、画像情報領域分割部５２によって分割されたそれぞれの画像情報を、構造的意味解析部５３によって解析された構造的意味づけをされた構造化情報において、所定のファイル形式や記述言語で書き出し、文書情報の構造化を完了する。構造化記述部５４が作成した情報は、ＨＤＤ６０に格納される。
【００８８】
図４−２は、構造化記述部によって文書情報の構造化が記述された構造化情報の一例を示す模式図である。ここで、構造化記述部が記述する言語としては、XML（Extensible Markup Language）を使用する。
【００８９】
設計情報抽出部５５は、領域分割された文書画像情報に対し、文書の見栄えに関する情報である設計情報を抽出する。ここで、文書の設計情報とは、文字サイズ、文字色、背景色、文字間、行間、余白など、文書の見栄えを決定する上で必要となる情報のことである。
【００９０】
設計情報記述部５６は、文書の設計情報を所定の記述言語やファイル形式を用いて書き出して、設計情報を生成する。作成された設計情報はＨＤＤ６０に格納する。ここで、設計情報記述部５６が記述する設計情報の記述言語としては、XSL-FO（Extensible Stylesheet Language Formatting Objects）、およびXSLT（Extensible Stylesheet Language Transformation）を使用する。
【００９１】
図５は、設計情報記述部によって記述された設計情報を説明する図である。設計情報記述部５６が、抽出された文書の設計情報を設計情報ファイルとして生成し、ＨＤＤ６０に格納する。ここでは、例えば、背景画像は、<background="background101.jpeg">とjpegファイルを使用して指定されている（５０１）。また、文字の大きさおよび色は、<img src="timg101.gif">と指定されている（５０２）。
【００９２】
入出力制御部５７は、ＨＤＤ６０および操作表示部６１との情報の入出力を制御する。プリンタ装置が付属する場合などの他の入出力装置が接続されている場合は、それらの入出力装置との入出力をも制御する。
【００９３】
文書再構成部５８は、ＨＤＤ６０に格納された画像情報、設計情報、および構造化情報を読み出して、読み出した画像情報、設計情報、および構造化情報によって文書を再構成する。原稿画像を読み取って、設計情報、および構造化情報に変更を加えずにそのまま再構成した場合、原稿画像と同様の表示形態で再構成されて再現される。
【００９４】
即ち、文書再構成部５８は、文字画像情報、図表画像情報、背景画像情報、および前景画像情報である画像情報を、設計情報、および構造化情報に従って配置していくことによって、文書画像を、見た目の上で全く同様に、モニタ出力、あるいは印刷出力して再現することができる。ここで、文書再構成部５８が再構成するために使用する文書情報とは、一般には、画像情報、設計情報、および構造化情報である。文書再構成部が再構成した原稿画像情報をモニタに表示する記述言語としては、HTML（Hyper Text Markup Language）を使用する。
【００９５】
文書表示変更部５９は、クライアントＰＣからの文書の表示形態の変更を要求する信号を受け付ける。文書表示変更部５９は、文書の表示形態の変更要求信号に従って、画像情報、設計情報、および構造化情報を変更することで表示変更を実行する。この際、文書表示変更部５９は、変更すべき文字画像情報については、すでに格納されている文字画像情報を使用することもでき、また、新たに変更すべき文字画像情報を生成することによって、変更要求信号に応じることもできる。即ち、変更すべき文字画像情報をどのように使用するかは実装による。
【００９６】
ここでは、以下、説明を簡略化するために設計情報を変更することによって表示すべき画像情報に変更を加えて表示形態を変更する場合について主に説明する。もちろん、文書表示変更部が、文書の構造化情報を変更することによって文書の構造を変更することも可能である。
【００９７】
クライアントＰＣにおいて、例えばＷｅｂブラウザを表示し、Ｗｅｂブラウザからの操作者による入力を受け付けて、変更を要求する信号を送信する。
【００９８】
図６は、図５に示した設計情報が変更された一例を示す模式図である。ここでは、例えば、背景色が<body bgcolor="WHITE">と変更指定された（６０１）。これによって、灰色の地肌が白くなるように指定された。また、文字の大きさおよび色として<img src="timg101.gif">と変更指定された（６０２）。この指定によって、図４−１に示した文字画像情報は、文字サイズを大きくし文字色を灰色から黒に変更した文字画像情報６０３に変更される。
【００９９】
文書再構成部５８は、文字画像情報、図表画像情報、背景画像情報、および前景画像情報である画像情報を、文書表示変更部５９が受け付けて変更した設計情報、および構造化情報通りに再構成し、文書上で配置していくことによって、原稿文書の文書画像の表示形態を、モニタ出力あるいはプリンタ出力において、異なる見栄えで再現する。
【０１００】
図７は、図６での変更指定に従って再構成されて印刷された文書の模式図である。操作者は、クライアントＰＣ４を操作して、印刷の実行要求を入力する。情報処理サーバ５は、ＨＤＤ６０から画像情報、設計情報、および構造化情報を読み出し、これらを用いて文書情報を文書として再構成し、図７で指定された表示形式でプリンタに文書を印刷させる。
【０１０１】
文書画像情報に対して、画像情報領域分割部５２による領域分割、構造的意味解析部５３による構造的意味の解析、構造化記述部５４による構造化記述ファイルの生成の前、あるいは実行した後に、文書画像情報や画像情報に対してノイズ除去、コントラスト変換、色変換、正規化、高解像度化、圧縮など種々の画像処理を自動ないし手動で施しても良い。
【０１０２】
（１．３．情報処理システムの処理手順）
図８は、実施の形態１による情報処理システムにおける情報処理手順を説明するフローチャートである。
【０１０３】
操作者はスキャナ２を用いて原稿文書である紙文書をスキャンし、文書画像として取り込む。読み取られる原稿は、例えば、図３に示したように、文章と図表とが混在しており、操作者は、それぞれ文章と図表を別々にまとめて異なるページで出力したいと考えているものである。文章の文字サイズは１０ポイント、文字色は青、背景色は灰色で、朱色の回覧のスタンプ３０３が表紙ページの左上部に押してある。
【０１０４】
スキャナによって取り込まれた文書画像は情報処理サーバへ送られる。情報処理サーバ５の送受信部５１は、文書画像情報の受信を待ち受け（ステップＳ１０１）、受信した場合（ステップＳ１０１のＹｅｓ）、情報処理サーバ５のＨＤＤ６０に格納する。
【０１０５】
画像情報領域分割部５２は、文書画像情報を一文字単位の文字画像情報、一画像単位の図表画像情報、文書の前景画像情報、並びに文書の背景画像情報に領域分割する（ステップＳ１０２）。領域分割された各画像情報の一例は図４−１に示した通りである。
【０１０６】
構造的意味解析部５３は、文書における画像情報の持つ構造上の意味を解析する（ステップＳ１０３）。構造化記述部５４は、画像情報を構造上の意味に基づいて構造的意味を付加し、構造的意味に従って構造化情報として記述する。図４−２の例では、題名として＜題名＞timg101.gif……＜／題名＞（４１０）で表される画像情報が題名の文字として規定されている。また、図表画像としては＜図表画像＞fimg101.jpeg……＜／図表画像＞（４１１）として規定されている。生成された文書の画像情報および構造化情報はＨＤＤ６０に格納される（ステップＳ１０４）。
【０１０７】
設計情報抽出部５５は、領域分割された画像情報に対し、文書の見栄えに関する設計情報を抽出する。（ステップＳ１０５）。設計情報記述部５６は、抽出された文書の設計情報を所定の記述言語やファイル形式を用いて書き出す。図５の例では、例えば、背景画像が<body background="background101.jpeg">（５０１）とjpegファイルを使用して指定された。また、文字の大きさおよび色として<img src="timg101.gif">（５０２）と指定された。生成された設計情報はＨＤＤ６０に格納される（ステップＳ１０６）。
【０１０８】
この設計情報が、クライアントＰＣに送信されて、クライアントＰＣ４のブラウザ画面から、クライアントＰＣ４を操作する操作者による表示形態の変更を要求する入力信号を受け付ける。例えば文字サイズを全体的に２ポイント増加させ、文字色を黒に、背景色を白に、前景画像は削除し、余白を上下左右５ｍｍずつ増やし、図表画像は最後のページに移動し、図表画像の移動に伴って空いたスペースを埋めるように文字の並びを変更する、という変更設定を受け付ける。図６に示した例に即すると、背景色、文字の大きさおよび色の指定が変更されている（６０１）。また、文字の大きさおよび色が変更された新たな文字画像６０３が生成され、生成された新たな文字画像を使用するように文字画像の指定が変更される（６０３）。ここで、変更を指定される文字画像がすでに格納されている構成とすることも出来る。この場合は、格納された文字画像を使用する。
【０１０９】
文書表示変更部５９は、クライアントＰＣから、設計情報の変更要求を受信するか否かを検出し（ステップＳ１０７）、検出した場合（ステップＳ１０７のＹｅｓ）、変更された設計情報を反映した新しい設計情報を生成する。生成された新しい設計情報はＨＤＤ６０に格納する。ここでは、クライアントＰＣ４で受け付けられた変更要求の通りに、設計情報において文字サイズの情報が全体的に２ポイント増加し、文字色の情報を黒とし（図６の文字画像６０３）、背景色の情報を白に変更し、図表画像の位置情報が最終ページに変更され、図表画像の移動に伴って空いたスペースを埋めるように文字の並びを変更した新しい設計情報（図６）となっている。これ以外にも操作者の設計情報の変更事項を表記している部分が変更される（ステップＳ１０８）。
【０１１０】
ここで、文書の設計情報の変更要求については、クライアントＰＣ４において操作者がすべて任意に設定して新規の設計情報を生成しても良く、また、予め提供されているデザインテンプレートなどを用いて設計情報を生成しても良い。
【０１１１】
また、デザインテンプレートを用い、一部のパラメータを変更して用いることも可能である。もちろん、設計情報のパラメータを変更せずに元の文書画像の設計情報をそのまま利用しても良い。
【０１１２】
操作者によって変更または新規に生成された新しい設計情報を、画像情報、元の文書画像の設計情報、構造化情報同様に記憶装置や記録媒体に蓄積しても良い。新しい設計情報を蓄積することにより、設計情報を変更する際に蓄積した設計情報を再利用することが可能となる。
【０１１３】
更に、操作者の利便性を考慮すれば、設計情報を操作者に設定させるだけではなく、操作者に他の文書画像を設計情報のサンプルとして指定させ、設計情報のサンプルから設計情報を抽出して新しい設計情報として利用することができることが望ましい。
【０１１４】
ここで、操作者が設計情報を設定するのは、情報処理サーバ５が文書画像情報に対して画像情報領域分割、構造的意味解析、および設計情報抽出を実行する前であっても良く、また、後であっても良い。
【０１１５】
文書再構成部５８は、文書表示変更部５９によって変更された画像情報、設計情報、および構造化情報をＨＤＤ６０から読み出し、構造化情報および設計情報を基に文書要素を変形や配置することによって文書として再構成する。クライアントＰＣ４の操作者の変更指示したとおりの見栄えを持つ表示形態のhtmlファイルを生成する（ステップＳ１０９）。
【０１１６】
この時、生成された文書をプレビューという形でネットワーク１を介してクライアントＰＣ４の操作者に提示し、文書が操作者の意図した通りになっているかを確認することが望ましい。生成された文書が、クライアントＰＣ４の操作者の意図したものから外れていた場合に、操作者はその旨の要求信号を入力して情報処理サーバ５に送信し、再度、設計情報を設定し直すことが望ましい。
【０１１７】
クライアントＰＣ４の操作者は、クライアントＰＣ４のユーザインタフェースを介して情報処理サーバ５で生成された文書画像を印刷する要求信号を入力する。文書再構成部５８は、変更された画像情報、設計情報、および構造化情報で文書を再現し、プリンタ３に変更された設計情報による文書画像を送信して図７に示した表示形態で印刷させる（ステップＳ１１０）。また、印刷出力以外に、クライアントＰＣ４のモニタに出力し、あるいはＰＤＦ（Ｒ）形式など特定のファイル形式に変換して蓄積および配信することもできる。
【０１１８】
ここで、設計情報の設定や文書生成の指示、印刷指示などを行なう際に、クライアントＰＣ４の操作者がユーザインタフェースを操作する手段として、マウスやキーボードを利用する他、タッチパネル、ペンタブレット、音声認識、ゼスチャ認識などを単体で、または複合的に用いる方式が可能である。
【０１１９】
本実施の形態では一例として、文書の入力としてスキャナ２を、文書の出力としてプリンタ３を、データの記憶装置として情報処理サーバ５のＨＤＤ６０を、情報処理サーバ５に指示を行なうためのインタフェースとしてクライアントＰＣのユーザインタフェースを、および文書データを蓄積するための記憶装置として文書データベース６のハードディスクを用いたが、これらの例に限定されるものではない。
【０１２０】
（１．４．効果）
このようにして、実施の形態１による情報処理システムでは、ネットワークを介して接続されて、スキャナが文書の原稿を読み取り、情報処理サーバが受信した文書を用途に応じた表示形態に再構成可能な処理を施し、クライアントＰＣが操作者の表示形態への変更要求を受け付け、受け付けられた表示形態への変更要求に従って情報処理サーバが画像情報、設計情報、および構造化情報を再構成し、プリンタから印刷出力することによって、操作者は、出力するプリンタの機種、操作者の嗜好、あるいは操作者の有する障害を補う設定など、操作者のニーズに応えた表現形式で原稿を印刷など出力することができるので、送信元の画像情報、設計情報、および構造化情報を、受信側のニーズに基づいて表示形態を変更して出力可能なユーザにとって利便性の高い情報処理システムを提供できる。
【０１２１】
このような情報処理システムによって、利用者が任意にパラメータを変更できる形に変換して利用者に提供し、利用者は自分にとって最も見やすいと思われるパラメータを選択して、文書を選択したパラメータを用いて再度組み立てて利用することができる。つまり、文書を「どの様な見栄えで見るか」という見栄えの選択権が利用者に与えられる。
【０１２２】
（１．５．変形例１）
実施の形態１の変形例１による情報処理システムは、情報処理サーバが文字認識部、および透明テキスト付加部を備えて、画像情報のうち、文字画像情報に対して、文字認識部が文字認識処理を行い、透明テキスト付加部が文字認識部によって認識された文字をテキスト情報で透明テキストとして文字画像情報に対して付加する点が、異なる。
【０１２３】
図９は、変形例１による情報処理サーバの機能的ブロック図である。変形例１による情報処理サーバ５０は、文字認識部７１、および透明テキスト付加部７２を備える。透明テキスト付加部７２が付加する透明テキストとは、文字画像が文字として認識された場合、認識された文字をテキスト情報として見掛け上は見えない形で文字画像情報に添付するものである。例えばＰＤＦ（Ｒ）ファイルには、この透明テキストが付加された形のものが一般に使用されている。
【０１２４】
文字画像情報に透明テキストが付加されることによって、文書を出力する際に、音声出力装置を備えた場合は、文書を読み上げる形の音声出力によって出力することができるなど、テキスト形式の文字情報の特徴に合わせた適用が可能となる。
【０１２５】
透明テキストを付加する手順としては、図８に示したフローチャートで画像情報の領域分割を行ない文字画像を生成した（ステップＳ１０２）後、文字認識と、透明テキストファイル付加のステップを実行する。
【０１２６】
こうして、変形例１による情報処理システムでは、文書をスキャナで読み取って再構成可能な文書情報を生成する際に、文字画像情報に対して文字認識処理を施して透明テキストを付加しておくことによって、文書を出力する際に、音声出力装置を備えた場合は、文書を読み上げる形の音声出力によって出力することができるので、よりバリアフリーな情報処理システムを提供できる。
【０１２７】
また、他の変形例としては、端末において、スキャナで読み取った文書の画像情報を領域分割、構造解析、および設計情報解析を行なう構成とすることもできる。また、プリンタと接続して、端末から直接印刷出力する構成とすることもできる。
【０１２８】
（１．６．運用例）
文書を不特定多数に配信する場合、閲覧者の中には色覚障害や弱視を初めとする様々な視覚障害者が含まれることが予想され、これらの視覚障害者に対する配慮が行なわれることが望まれる。
【０１２９】
文書画像を配信する場合は、まず画像情報、設計情報、および構造化情報に分解する。画像情報、設計情報、および構造化情報に分解された文書は、操作者が設計情報を選択または変更することによって操作者のニーズにあった表示形態を実現できる。つまり、従来は作成者が意図した見栄えでしか見ることのできなかった文書が、本発明を用いることによりどの様な見栄えで文書を見るかという選択権が操作者に与えられ、各個人に最適化された文書を実現することができるため、視覚障害によらず同等の情報を得ることが可能となる。
【０１３０】
しかしながら、文書画像を印刷して配布ないし回覧する場合は、文書の見栄えを操作者に任意に選択させることは困難な場合がある。この問題に対応するために、可能な限り広汎な人々に同等の見易い情報を伝達する目的から、広汎な人々の利用を前提とした設計情報を用いて文書を再構成し印刷することが考えられる。広汎な人々の利用を前提とした設計情報を作成するに当たっては、十分な数のサンプルを用いた調査および視覚障害者への調査を元に行う。このようにして作成されたサンプルを基にテンプレート化して利用するのが望ましい。
【０１３１】
（２．実施の形態２）
実施の形態２による情報処理システムにおける情報処理端末は、クライアントＰＣとして構成され、情報処理サーバが領域分割された画像情報、構造化情報、および設計情報を含むファイルを電子メールで送信したものを受信し、受信したファイルに基づいて文書を再構成し、かつ文書の表示形態の変更を受け付ける。情報処理端末であるクライアントＰＣにおいては、文書再構成部が画像情報、構造化情報、および設計情報に従って文書を再構成する。画像情報、構造化情報、および設計情報によって文書が再構成可能であるので、電子メールでのこれらファイルの送信は、例えば添付ファイル形式で行う。画像情報とは、既述の領域分割された画像情報である。
【０１３２】
（２．１．構成）
図１０は、実施の形態２による情報処理端末としてのクライアントＰＣの機能的ブロック図である。クライアントＰＣ４０は、送受信部４１、入出力制御部４７、文書再構成部４８、文書表示変更部４９、ＨＤＤ８０、および操作表示部８１を備える。
【０１３３】
実施の形態２による情報処理システムの構成は、情報処理サーバ５が画像情報、設計情報および構造化情報を送信する機能を備えた点が異なる。クライアントＰＣ４０の構成は、実施の形態１におけるクライアントＰＣ４と、文書再構成部４８および文書表示変更部４９を備えた点が異なる。
【０１３４】
クライアントＰＣ４０の送受信部４１は、情報処理サーバ５の送受信部５１から送信される画像情報、設計情報および構造化情報を受信する。入出力制御部４７は、ＨＤＤ８０および操作表示部８１における情報の入出力を制御する。
【０１３５】
クライアントＰＣ４０の文書再構成部４８は、受信した画像情報、設計情報および構造化情報から文書を再構成して表示する。表示を見た操作者は、操作表示部８１から、文書の表示形態を変更する入力が可能である。
【０１３６】
変更入力がされた場合、文書表示変更部４９は、画像情報、設計情報および構造化情報の変更情報を受け付けて、設計情報および構造化情報を書き換える。文書再構成部４８は、文書表示変更部４９によって書き換えられた設計情報および構造化情報に従って、文書を再構成する。
【０１３７】
プリンタ３は、変更された設計情報および構造化情報に基づいて、印刷出力する。このようにして、設計情報および構造化情報を受信したクライアントＰＣ４０側において、操作者のニーズに応じる表示形態で文書を表示させることができる。
【０１３８】
（２．２．手順）
図１１は、実施の形態２による情報処理手順を説明するフローチャートである。以下、実施の形態２による情報処理システムにおいては、実施の形態１による情報処理システムと異なる点について重点的に説明する。
【０１３９】
操作者がスキャナを使用して原稿文書である紙文書をスキャンして文書画像情報を取り込むことから、情報処理サーバ５が設計情報および構造化情報を生成してＨＤＤ６０に格納するところ（ステップＳ１０６）までは、実施の形態１による情報処理システムと同様であるので、説明を省略する。即ち、情報処理サーバ５の画像情報領域分割部５２が領域分割した画像情報を生成し、構造的意味解析部５３が文書における画像情報の持つ構造上の意味を解析し、構造化記述部５４が構造化情報を記述し、設計情報抽出部５５が画像情報から設計情報を抽出し、設計情報記述部５６が抽出された設計情報を記述してＨＤＤ６０に格納されたところから、情報処理サーバの手順がスタートする。
【０１４０】
ここで、情報処理サーバの文書再構成部５８が、格納された画像情報、設計情報および構造化情報を読み出して再構成することによって、原稿文書の文書画像と同様の表示形態でモニタやプリンタで出力できるようになることは、実施の形態１による情報処理システムにおける場合と同様である。
【０１４１】
次に、クライアントＰＣ４０の操作者は、クライアントＰＣ４０の操作表示部８１を操作して、情報処理サーバ５から文書の配信を受ける配信先および配信方法を選択する。配信先は、ネットワーク１に接続したクライアントＰＣ４０、携帯端末（不図示）などが考えられる。配信方法としてはメールに画像情報、設計情報、および構造化情報を添付して送信する方法の他、クライアントＰＣ４０のフォルダに直接、送信する方法などが可能である。文書の配信先および配信方法を選択し終えた操作者は、クライアントＰＣ４０の操作表示部８１から、文書の受信を要求する信号を情報処理サーバ５に送信する。
【０１４２】
文書送信指示を受けた情報処理サーバ５は、指定された配信先および配信方法に従って、画像情報、設計情報および構造化情報を送信する（ステップＳ２０１）。設計情報は文書の配信先で必ずしも必要とならないことも有り得るので、送信する際に設計情報を文書情報と共に送信するか否かを選択できることが望ましい。
【０１４３】
クライアントＰＣ４０の送受信部４１は、文書の受信を待ち受け（ステップＳ２０２）、画像情報、設計情報および構造化情報を受信した場合（ステップＳ２０２のＹｅｓ）、ＨＤＤ８０に格納する（ステップＳ２０３）。
【０１４４】
ここで、受信先のクライアントＰＣ４０が設計情報を取得できなかった場合、操作者はニーズに合わせて設計情報のパラメータを変更して新しい設計情報を作成しても良い。
【０１４５】
操作表示部８１は、クライアントＰＣ４０の操作者が設計情報、および構造化情報を変更する入力を受け付けて（ステップＳ２０４）、受け付けた場合（ステップＳ２０４のＹｅｓ）、文書表示変更部４９は設計情報、および構造化情報を変更し（ステップＳ２０５）、変更された設計情報、および構造化情報を格納する（ステップＳ２０６）。その際、変更された設計情報、および構造化情報を基に文書を再構成し、プレビューという形で文書が配信先の操作者が意図した通りの見栄えになっているかを確認することが望ましい。文書の見栄えが配信先の操作者が意図したものから外れていた場合に、操作者は再度設計情報を設定し直すことが望ましい。
【０１４６】
設計情報の設定が完了すると、文書再構成部４８は、設定変更された設計情報に従って、受信した文書情報を変形や配置して表示することにより、文書として再構成し（ステップＳ２０７）、出力する。また、ステップＳ２０４のＮｏの場合も、ステップＳ２０７に移行する。
【０１４７】
配信先が受信した画像情報や設計情報、また配信先の操作者が新たに作成した設計情報は配信先のクライアントＰＣ４０に蓄積することができる。
【０１４８】
また、文書出力の方法として、ディスプレイ表示、プリンタからの印刷、他のサーバやＰＣ、あるいは携帯端末などに送信することも可能である。
【０１４９】
（２．３．効果）
このようにして、実施の形態２による情報処理システムにおける情報処理端末は、情報処理システムの文書データベース６、情報処理サーバ５、クライアントＰＣ４０などの共有フォルダに、画像情報、設計情報、および構造化情報を蓄積しておき、原稿文書から画像情報、設計情報および構造化情報を生成する過程を経ることなく、操作者の情報処理端末の状況に合わせて設計情報および構造化情報を受信して変更することによって、情報処理端末側のニーズに応じた表示形態で文書を再構成し、出力するなどして利用することができる。
【０１５０】
（２．４．実施の形態２による情報処理端末の変形例１）
実施の形態２の変形例１は、情報処理端末としてクライアントＰＣの代わりに携帯電話を使用するものである。ここで、情報処理端末としての携帯電話の機能的ブロック図は、図１０に示したものと同じであるので、図示を省略する。携帯電話に適用する場合、例えば、操作表示部８１の代わりにプッシュボタンおよび液晶モニタ（不図示）として、またＨＤＤ８０の代わりにメモリカード（不図示）として構成できる。
【０１５１】
図１２は、携帯電話からアクセスしようとする文書を示す模式図である。図１３は、図１２をそのまま携帯電話で表示させた場合の模式図である。図１４は、図１２の表示サイズを携帯電話の表示サイズに合わせた場合の表示を示す模式図である。
【０１５２】
携帯電話の操作者は、携帯電話を操作し、システム上の共有フォルダに格納された目的の文書にアクセスする。アクセスした文書が、図１２の様な文書画像であった場合、携帯電話の表示サイズが小さいので、図１３に示した太い枠線１３０１が、実際に携帯電話の画面に表示される部分である。このように狭い携帯電話の表示画面では、図１２の文書全体を閲覧するためには縦横にスクロールしなければならず、閲覧性が悪く、読みにくい。また図１４に示したように、図１２の表示内容を画面サイズに合わせて表示を縮小した場合は、文字が小さくなってしまい、閲覧性が非常に悪くなる。
【０１５３】
これに対し実施の形態２による情報処理端末を適用した携帯電話の場合、共有フォルダにアクセスして文書を呼び出す際に、画像情報、設計情報および構造化情報を呼び出して受信し、携帯電話に備えられた携帯電話向けの設計情報を用いて、携帯電話内の文書再構成部が再構成する。
【０１５４】
図１５は、携帯電話用に変換された設計情報および構造化情報に従って表示した模式図である。図１５のような文書の表示形態が得られ、閲覧性は、非常に良くなる。図１５の表示は、図１３や図１４の文書と比較しても、視認性が良く読みやすい文書の表示形態となっている。
【０１５５】
図１６は、携帯電話の表示部に文書と図表が同時に表示された一例の模式図である。図１７は、携帯電話の表示部に文書だけが表示された一例の模式図である。図１８は、携帯電話の表示部に図表だけが表示された一例の模式図である。
【０１５６】
更にここで、携帯電話の操作者の利便性を考慮して、文章と図表画像を異なるページに配置し、図表画像が存在した位置、または文章中で図表画像に対する参照が行なわれている部分にハイパーリンクを貼り、リンクをたどることによって図表画像を見るアプリケーションを適用することが望ましい。携帯電話内の文書表示変更部４９は、受信した設計情報に対してこのような設定処理を施すように構成しておくものである。
【０１５７】
これは図１６の様に、文書中に図表画像が存在した場合、表示領域の狭い携帯電話の画面では、文書が縦に伸びてしまいスクロールすることが煩雑であるが、文章と図表画像を異なるページで管理すれば、図１７に示したように文書だけの表示で、図表画像の領域を省略することができる。ここでは、図１７において下線を引いた部分をクリックすると、図１８の図表だけからなる画像が表示できるように構成する。
【０１５８】
こうして、実施の形態２の変形例１による携帯電話は、表示すべき文書を携帯電話の狭い表示領域に好適に文書および画像をレイアウトし直して表示することができるので、簡便な構成で視認性の良好な表示を可能にする。
【０１５９】
（３．実施の形態３）
実施の形態３による情報処理装置は、実施の形態１による情報処理システムの情報処理機能を情報処理装置として構成するものである。また実施の形態３による情報処理装置は、文書のサンプルとなる文書を入力して設計情報を読み取って新たに設計情報として設定できる機能を有する点が異なる。
【０１６０】
図１９は、実施の形態３による情報処理装置をネットワーク１に接続した構成図である。実施の形態３による情報処理装置５０をネットワーク１に接続した構成は、図１９に示した通り、他にスキャナ２、プリンタ３、および文書データベース６が接続されている。スキャナ２、プリンタ３、および文書データベース６については、実施の形態１の説明において説明したと同様であるので省略する。
【０１６１】
また、情報処理装置５０の機能的ブロック図は、実施の形態１による情報処理サーバ５と同様であるので（図２）、ここでは図示せずに必要な際には図２を用いる。但し、実行する機能が異なるので、異なる点について主に説明する。
【０１６２】
実施の形態３による情報処理装置の場合、文書表示変更部５９は、実施の形態１による情報処理サーバ５がクライアントＰＣ４からの文書表示形態の変更要求を受け付ける代わりに、情報処理装置５０自身の操作表示部６１からの変更要求を受け付ける。
【０１６３】
また、実施の形態３による情報処理装置５０が受け付ける文書表示形態の変更要求は、個々の設計情報の変更を受け付けるだけではなく、自身が入力した画像情報、設計情報、および構造化情報の表示形式を、設計情報抽出部５５が抽出し、抽出された設計情報に従って、文書表示変更部５９が文書表示形態を変更するものである。
【０１６４】
図２０は、情報処理装置が読み込んだ文書の表示形態を表す模式図である。図２１は、表示形態を変えたいサンプル文書を表す模式図である。図２２は、読み込んだ文書がサンプル文書の表示形態によって表示された模式図である。
【０１６５】
情報処理装置５０の操作者は、情報処理装置５０を操作して、文書データベース６にアクセスさせ、すでに実施の形態１による情報処理システムによって生成された画像情報、設計情報および構造化情報を選択させる。この選択された文書を再構成したものが図２０に示したものである。
【０１６６】
ここで、情報処理装置５０の操作者の操作によって、選択した文書を読み出して表示しようとする場合、送受信部５１は、文書データベース６から読み出す。あるいは、操作者による選択入力がなされた文書を、該文書情報と設計情報を送受信部４１が受信し、自身のＨＤＤ６０に一時格納してもよい。
【０１６７】
このように情報処理装置５０では、実施の形態１における情報処理システムにおける情報処理サーバの機能とクライアントＰＣの機能とを一つにまとめて１台の装置として機能させることができる。即ち、情報処理装置５０において、スキャナによって読み込まれた文書画像情報を領域分割して文字と画像とに分割し、表示形式を変更するように入力し、プリンタに印刷出力させることまで実行することができる。
【０１６８】
（実施の形態３の変形例１）
ここで、操作者が設計情報を設定する際に、設計情報を含むパラメータを手動で設定する代わりに、設計情報のサンプルとなる文書をスキャナ２を介して情報処理装置５０が受信し、設計情報抽出部５５は受信したサンプル文書から設計情報を抽出する。そして、設計情報記述部５６が抽出された設計情報を記述し、新たな設計情報とするように構成することができる。
【０１６９】
文書再構成部５８は、生成された上記新たな設計情報に従って、文書データベース６から読み込んだ画像情報を再構成する。サンプル文書の表示形態を表したのが図２１であり、サンプル文書の表示形態によって表示が変えられて表示された例が図２２に示したものである。
【０１７０】
図２３は、実施の形態３の変形例１による情報処理装置による情報処理手順を説明するフローチャートである。文書データベース６から原稿画像情報を読み込み、設計情報を記述し、構造化情報も記述されているものとする。ここでは、この読み込んだ原稿となる文書画像情報を、サンプル文書による設定によって変更する手順である。
【０１７１】
設計情報のサンプル文書は図２１に示した文書であり、元の文書である図２０と比較すると、ページの余白が広く、文字サイズが大きく、文章が二段組になっており、図が右側の段の上部に配置されている。操作者は、設計情報のサンプル文書をスキャナにより文書画像として取り込む。取り込まれた文書画像はメモリに格納される。
【０１７２】
文書表示変更部は、設計情報をサンプル文書を用いた設定をおこなう指定であるかどうかを検出状態にあり（Ｓ３０１）、サンプル文書による設定であることを検出すると（ステップＳ３０１のＹｅｓ）、設計情報抽出部５５は、取り込まれたサンプル文書をメモリから読み出し、設計情報を抽出し（Ｓ３０２）、設計情報記述部５６が所定の言語で設計情報を記述する（Ｓ３０３）。
【０１７３】
文書表示変更部５９は、抽出されたサンプル文書の設計情報に基づいて、読み出した文書の設計情報を変更し（Ｓ３０４）、文書再構成部５８は、変更された設計情報に従って、即ち、サンプル文書による設計情報に従って、文書を再構成する（ステップＳ３０５）。
【０１７４】
ここで、設計情報をサンプル文書を用いない場合（ステップＳ３０１のＮｏ）、最初に読み込んだ文書は、最初に抽出された設計情報および構造化情報に基づいて再構成されて（ステップＳ３０６）、終了する。
【０１７５】
操作者は最後に出力を指示する。すると設定された文書情報を基に変形や配置され、文書として再構成された上で出力される。出力先としてはディスプレイやプリンタがある。また、メールに添付するなどして配信することもできる。更に、特定のファイル形式に変換する出力とすることも可能である。
【０１７６】
文書が、サンプル文書によって再構成され出力されたものが図２２である。図２２に示した文書は、図２０に示した元の文書の内容を引き継ぎながらも、図２１に示したサンプル文書の見栄えに変換されている。以上のようにして操作者は、設計情報のサンプル文書を用いて文書の設計情報を簡易に設定して、ニーズに応じた表示形態によって出力することができる。
【０１７７】
なお、サンプル文書をスキャンして得られた設計情報は、パーソナルコンピュータや文書データベースなどに搭載されたハードディスクなどの記憶装置や記録型ＣＤなどの記録媒体に保存すると、設計情報の再利用ができてよい。また、前述したように設計情報を保存、蓄積し、設計情報のデータベースを作成すれば、操作者は多様な設計情報から好みの設計情報を選ぶことができ、利便性を向上することができる。
【０１７８】
（４．実施の形態４）
（４．１．構成）
実施の形態４による情報処理端末は、表示すべき文書を電子文書の形で入力し、再構成可能な文書情報に変換して表示形態を変化させて表示する情報処理端末である。ここで電子文書とは、Ｗｏｒｄ（Ｒ）、Ｅｘｃｅｌ（Ｒ）、あるいはＰｏｗｅｒＰｏｉｎｔ（Ｒ）のようにワードプロセッサなどのアプリケーション上で作成された電子ファイルのことである。
【０１７９】
アプリケーション上で作成された電子ファイルには、コード化された文字が多数含まれるので、処理において情報機器が画像としての文字を領域分割して文字を認識するよりも、コード化された文字を直接、扱う方が遙かに簡便である。
【０１８０】
図２４は、実施の形態４による情報処理端末のネットワーク構成図である。ここでは、プリンタ３，他のＰＣ４０１、文書データベース６、および情報処理端末４００が、それぞれネットワーク１に接続されている。文書データベース６およびＰＣ４０１は、電子文書を格納している。情報処理端末４００は、文書データベース６あるいはＰＣ４０１にアクセスして読み出すべき電子文書をネットワーク１経由で取得する。
【０１８１】
図２５は、実施の形態４による情報処理端末の機能的ブロック図である。情報処理端末４００は、送受信部４１、文字画像抽出部４４２、構造的意味解析部４３、構造化記述部４４、設計情報抽出部４５、設計情報記述部４６、入出力制御部４７、文書再構成部５８、文書表示変更部４９、ＨＤＤ８０、および操作表示部８１を備える。
【０１８２】
図２５に示した情報処理端末４００における送受信部４１、構造的意味解析部４３、構造化記述部４４、設計情報抽出部４５、設計情報記述部４６、入出力制御部４７、文書再構成部４８、文書表示変更部４９、ＨＤＤ８０、および操作表示部８１は、図２に示した実施の形態１による情報処理サーバ５における送受信部５１、構造的意味解析部５３、構造化記述部５４、設計情報抽出部５５、設計情報記述部５６、入出力制御部５７、文書再構成部５８、文書表示変更部５９、ＨＤＤ６０、および操作表示部６１に対応する。
【０１８３】
この対応において、機能の異なるものについて主に説明し、同じであるものについては、実施の形態１において詳細に説明したのでここでは説明を省略する。実施の形態１の場合はサーバとしての構成であるのに対して、実施の形態４の場合は端末としての構成である。
【０１８４】
送受信部４１は、文書データベース６や他のＰＣ４０１から原稿画像情報を、電子文書の形式で受信する。この電子文書は、既述のようにアプリケーション上で作成した電子ファイルである。
【０１８５】
文字画像抽出部４４２は、送受信部４１が受信した電子文書に対して、文字と画像を抽出する。ここで抽出された文字とは、コード情報として抽出される文字情報である。画像とは、コード化された文字以外の要素である。例え、画像の形として文字であったとしても、コード化されていない文字は画像に含まれる。実施の形態４においては、この文字画像抽出部４４２が特徴的な構成である。文字を画像として扱うよりもコード化して扱う方が遙かに簡便である。
【０１８６】
文字画像抽出部４４２によって、抽出された文字はコード化されているので、文字に関して構造的意味解析部４３、構造化記述部４４、設計情報抽出部４５、および設計情報記述部４６のそれぞれの処理は、コード化された情報として扱うことができ、より簡便に処理を施すことができる。
【０１８７】
図２６は、情報処理端末４００が受信したもとの電子文書の表示を示す模式図である。図２７は、画像情報が抽出された個々の画像情報を示す模式図である。図２８は、文書の構造化情報を記述した一例を説明する図である。構造化記述部４４についての機能も、実施の形態１の場合と同様である。図中、地肌は白色に見えるが、灰色に着色されているものとする。
【０１８８】
図２９は、もとの電子文書の設計情報を記述した一例を説明する図である。図３０は、文書表示変更部によって表示変更指定が入力されて設計情報が変更された一例を説明する図である。図３１は、変更後の設計情報によって再構成されて表示される文書の模式図である。操作者は、操作表示部８１から表示変更を指定する入力を行って、その結果、設計情報が変更されたものである。この変更された設計情報によって、図３１に示したように再構成されて表示される。
【０１８９】
（４．２．手順）
図３２は、実施の形態４による情報処理手順を説明するフローチャートである。操作者が情報処理端末４００を操作して、文書データベース６あるいは他のＰＣ４０１の電子文書にアクセスして、送受信部４１は受信状態に入り（ステップＳ４０１）、電子文書を受信した場合（ステップＳ４０１のＹｅｓ）、文字画像抽出部４４２は、受信した電子文書に対して、一文字単位の文字情報、一画像単位の画像情報、文書の前景情報、並びに文書の背景情報を抽出する（ステップＳ４０２）。これ以降、ステップＳ４０６までは、扱う文字に関する情報が、文字画像ではなくコード化された文字情報である点のみ異なり、それ以外は図８におけるステップＳ１０６までと同様であるので、説明を省略する。
【０１９０】
ここで、操作者は設計情報を好みに応じて変更することができる。文書表示変更部４９は、操作者からの操作表示部８１を介したパラメータの変更入力を受け付け状態にあり（ステップＳ４０７）、受け付けた場合（ステップＳ４０７のＹｅｓ）、文書表示変更部４９は、パラメータの変更を反映した新しい設計情報を生成する（ステップＳ４０８）。これ以降のステップは、扱う文字に関する情報が、文字画像ではなくコード化された文字情報である点のみ異なり、それ以外は図８に示したステップＳ１０８および１０９と同様であるので、説明を省略する。
【０１９１】
文書の設計情報は操作者がすべて任意に設定して新規の設計情報を作成しても良いし、予め提供されているデザインテンプレートなどを用いても良い。また、前記デザインテンプレートを用い、一部のパラメータを変更して用いることも可能である。また、設計情報のパラメータを変更せずに元の電子文書の設計情報をそのまま利用しても良い。
【０１９２】
操作者によって変更または新規に作成された新しい画像情報、設計情報、および構造化情報を、元の電子文書の設計情報と同様に記憶装置や記録媒体に蓄積しても良い。新しい画像情報、設計情報、および構造化情報を蓄積することにより、表示形態を変更する際に蓄積した文書情報を再利用することが可能となる。
【０１９３】
更に、操作者の利便性を考慮すれば、設計情報を操作者に設定させるだけではなく、操作者に他の電子文書を設計情報のサンプルとして指定させ、前記設計情報のサンプルから設計情報を抽出して新しい設計情報として利用することができる。
【０１９４】
操作者が設計情報を設定するのは、電子文書に対して文字画像情報抽出、構造的意味解析、および設計情報抽出を実行する前であってもよいし、後であっても良い。
【０１９５】
こうして操作者からの変更指示を受け付けた情報処理端末４００は、電子文書に対して、設計情報および構造化情報を変更することによって操作者の指示したとおりの見栄えを持つ文書を生成できる。この時、作成された文書をプレビューという形で操作者に提示し、文書が操作者の意図した通りになっているかを確認することが望ましい。作成された文書が操作者の意図したものから外れていた場合に、再度設計情報を設定し直すことができれば尚良い。
【０１９６】
出力については、情報処理端末４００や他のＰＣ４０１のディスプレイでも良く、プリンタからの印刷でも良く、メールなどに添付して配信しても良く、特定のファイル形式に変換して保存しても良い。
【０１９７】
なお、文書を構造化する機能を情報処理端末４００に含めても良いし、また、文書構造化機能を実装する別のプログラムを用意しても良い。設計情報の設定を司る機能は、情報処理端末４００に備えても良く、また、他のプログラム中に含めても良い。
【０１９８】
このように情報処理端末４００では、例えば次のようなことを実現することが可能となる。ある操作者が社内で作成した図２６のような電子ファイルを利用したいのだが、文字サイズや文字色、背景色、スタンプなどが原因でその操作者にとってその資料が非常に読みづらく、またその操作者の好みとして文章と図表は異なるページに表示したいという状況であったとする。仮に文章の文字サイズは１０ポイント、文字色は青、背景色は灰色で、朱色の回覧のスタンプ画像が表紙ページの左上部に貼り付けてあったとする。
【０１９９】
その操作者は問題の電子ファイルを情報処理端末４００を用いて受信しオープンする。すると電子ファイルは情報処理端末４００のメモリに格納される。格納された電子ファイルデータは情報処理端末４００のプロセッサによって読み出され、文字画像抽出部４４２によって、図２７に示す文字情報、画像情報（２８０１）、前景情報（２８０２）、および背景情報（２８０３）が抽出される。
【０２００】
構造的意味解析部４３によって、各文字情報および画像情報の文書上の構造的意味が取得され、構造化記述部４４において取得された構造的意味に基づき、文字情報および画像情報が、図２８に示すように表現される。これで画像情報、設計情報、および構造化情報によって電子文書が完成し、完成した電子文書はパーソナルコンピュータのメモリに格納される。
【０２０１】
更に、設計情報抽出部４５によって文書の設計情報である書式情報が抽出され、設計情報記述部４６によって、図２９に示す設計情報が記述される。作成された設計情報は情報処理端末４００のメモリに格納される。
【０２０２】
次に操作者は、情報処理端末４００の操作表示部８１を介して変更を入力する。例えば、予め登録されているパラメータセットから、例えば文字サイズを全体的に２ポイント増加させ、文字色を黒に、背景色を白に、前景画像は削除し、余白を上下左右５ｍｍずつ増やし、図表画像は最後のページに移動し、図表画像の移動に伴って空いたスペースを埋めるように文字の並びを変更するパラメータセットを選択して入力する。
【０２０３】
すると、情報処理端末４００のメモリに格納されている文書の設計情報が読み出され、設計情報において文字サイズの情報が全体的に２ポイント増加され、文字色の情報が黒に、背景色の情報が白に変更され、図表画像の位置情報が最終ページに変更され、図表画像の移動に伴って空いたスペースを埋めるように文字の並びを変更した図３０に示すような新しい設計情報が生成される。
【０２０４】
最後に操作者は、操作表示部８１から文書を作成する旨の入力を行う。すると情報処理端末４００のプロセッサは、メモリから画像情報、設計情報、および構造化情報を読み出し、画像情報、設計情報、および構造化情報を基に文書として再構成し、元の電子文書を文字の大きさは全体的に２ポイント増加し、文字色は黒に、背景色は白に変換され、前景画像は削除され、余白は上下左右５ｍｍずつ増やされ、図表画像は最終ページに配置され、文書画像の移動に伴って空いたスペースを埋めるように文字の並びが変更された図３１に示すような文書をディスプレイに表示する。
【０２０５】
（４．３．効果）
この様にして、情報処理端末は、入力する電子文書に対して、もとの文書と内容は変わらなく、操作者自身にとって見やすい表示形態で文書を利用することができる。
【０２０６】
（５．実施の形態５）
実施の形態５による情報処理サーバが、実施の形態１による情報処理端サーバと異なる点は、原稿の電子文書を配信する先の装置を検知する装置検知部を備えて、検知した装置に相応しい表示形態に合わせた設計情報をテンプレートから取得し、配信することである。実施の形態５による情報処理サーバ５００の機能的ブロック図は、図２に示した機能的ブロック図の情報処理サーバ５が、装置検知部（不図示）をさらに備えたものである。
【０２０７】
送受信部５１が、ネットワーク１に接続された他の端末から文書画像情報の送信を要求する信号を受信した場合、装置検知部は、要求もとの端末の種類を検知する。即ち、装置検知部は、携帯電話、携帯情報端末（ＰＤＡ）、およびＰＣであるのかなど、どのような種類の装置であるかを検知する。そして、文書表示変更部５９は、装置検知部が検知した装置に相応しいテンプレートを読み出して画像情報、設計情報を設定し、構造化情報とともに検出された端末に送信する。テンプレートによる設定については、既に述べたとおりである。ここで、装置検知部が検知できる信号を送信元の端末が送信することが望ましい。これによって、検知が確実なものとなるからである。
【０２０８】
送信先の端末は、画像情報、設計情報および構造化情報を受信して、相応しいと判断されたテンプレートによる表示形態で表示する。この構成によって、端末の操作者にとって見やすい表示形態が自動的に設定されて、画面を見ることができる。
【０２０９】
（６．実施の形態６）
実施の形態６による情報処理装置は、デジタル複写機に適用したものである。近年、大容量のハードディスクやメモリ、高性能のプロセッサ、更には大型のディスプレイを具えたデジタル複写機が開発されており、本発明をデジタル複写機に適用可能である。
【０２１０】
スキャナの代わりにデジタル複写機付属のスキャナを、プリンタの代わりにデジタル複写機付属プリンタを、情報処理サーバのプロセッサの代わりとしてデジタル複写機内蔵プロセッサを、情報処理サーバのメモリの代わりとしてデジタル複写機内蔵メモリを、操作表示部の代わりとしてデジタル複写機付属オペレーションパネルを、文書データベースのハードディスクの代わりとしてデジタル複写機内蔵ハードディスクをそれぞれ用いることにより実現可能である。
【０２１１】
デジタル複写機の操作者は、複写すべき資料をデジタル複写機のスキャナで文書画像として取り込ませる。スキャンされた文書画像はデジタル複写機のメモリに格納される。格納された文書画像は自動的に読み出され、デジタル複写機のプロセッサの画像情報領域分割部において、文字画像情報、図表画像情報、前景画像情報、そして背景画像情報に領域分割されて、領域分割された画像情報が生成される。
【０２１２】
また、構造的意味解析部において、画像情報の文書上の構造的意味が取得され、構造化記述部において構造的意味解析部で取得された文書上の構造的意味を用いて画像情報が表現されデジタル複写機のメモリに格納される。
【０２１３】
更に、設計情報抽出部において文書の設計情報である書式情報が抽出され、設計情報が作成され、デジタル複写機のメモリに格納される。
【０２１４】
次にその操作者は、オペレーションパネルを操作し、例えば文字サイズを全体的に２ポイント増加させ、文字色を黒に、背景色を白に、前景画像は削除し、余白を上下左右５ｍｍずつ増やし、図表画像は最後のページに移動し、図表画像の移動に伴って空いたスペースを埋めるように文字の並びを変更する旨を設定する。
【０２１５】
デジタル複写機のメモリに格納されている文書の画像情報、設計情報、および構造化情報が読み出され、文字サイズの情報が全体的に２ポイント増加され、文字色の情報が黒に、背景色の情報が白に変更され、図表画像の位置情報が最終ページに変更され、図表画像の移動に伴って空いたスペースを埋めるように文字の並びを変更した新しい設計情報（例えば図６）としてデジタル複写機のメモリに格納される。
【０２１６】
図５における設計情報の記述が、図６のように変更されることは、実施の形態１において説明したのと同様である。
【０２１７】
最後に操作者は、デジタル複写機の操作表示部であるオペレーションパネルにあるスタートボタンを押す。するとデジタル複写機のプロセッサは、デジタル複写機のメモリから画像情報、設計情報、および構造化情報を読み出し、これらを用いて文書を再構成し、元の文書画像を文字の大きさは全体的に２ポイント増加し、文字色は黒に、背景色は白に変換され、前景画像は削除され、余白は上下左右５ｍｍずつ増やされ、図表画像は最終ページに配置され、文書画像の移動に伴って空いたスペースを埋めるように文字の並びが変更された文書（図７）を印刷する。
【０２１８】
この様にして、デジタル複写機という簡易な操作で複写して出力することが可能な機器を用いて、操作者は原稿文書と内容は変わらないものの、操作者にとって視認性の良い表示形態の文書を得ることができる。
【０２１９】
（７．ハードウェア構成など）
（７．１．実施の形態１による情報処理サーバ）
図３３は、実施の形態１による情報処理サーバのハードウェア構成を示すブロック図である。実施の形態１にかかる情報処理サーバのハードウェア構成について、図３３を参照して説明すると、ＣＰＵ１１０１は、情報処理サーバの情報処理制御の全体制御を行うものである。ＲＯＭおよびＨＤＤ１１０２は、プログラムやデータの格納用メモリとして用いる読み出し専用のメモリであり、ＲＡＭ１１０３は、プログラムやデータの展開用メモリ、情報処理時の画像描画メモリなどとして用いる書き込みおよび読み出し可能なメモリである。
【０２２０】
実施の形態１の情報処理サーバで実行される情報処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０２２１】
さらに、実施形態１の情報処理サーバで実行される情報処理プログラムは、インターネット等のネットワークに接続されたコンピュータ上に格納し、ネットワーク経由でダウンロードさせることにより提供するように構成しても良く、また、インターネット等のネットワーク経由で提供または配布するように構成しても良い。
【０２２２】
実施の形態１の情報処理サーバで実行される情報処理プログラムは、上述した各部（送受信部、画像情報領域分割部、構造的意味解析部、構造化記述部、設計情報抽出部、設計情報記述部、入出力制御部、文書再構成部、文書表示変更部等）を含むモジュール構成となっており、実際のハードウェアとしてはＣＰＵ（プロセッサ）が上記ＲＯＭから情報処理プログラムを読み出して実行することにより上記各部が主記憶装置上にロードされ、送受信部、画像情報領域分割部、構造的意味解析部、構造化記述部、設計情報抽出部、設計情報記述部、入出力制御部、文書再構成部、文書表示変更部等が主記憶装置上に生成されるようになっている。
【０２２３】
（７．２．実施の形態６によるデジタル複写機）
図３４は、実施の形態６によるデジタル複写機のハードウェア構成を示すブロック図である。図に示すように、このデジタル複写機は、コントローラ１２１０とエンジン部１２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１２１０は、デジタル複写機全体の制御と画像読み取り、情報処理、操作部（不図示）からの入力を制御するコントローラである。エンジン部１２６０は、ＰＣＩバスに接続可能な情報処理エンジンなどであり、例えば取得した画像データに対して誤差拡散やガンマ変換などの情報処理部分が含まれる。
【０２２４】
コントローラ１２１０は、ＣＰＵ１２１１と、ノースブリッジ（ＮＢ）１２１３と、システムメモリ（ＭＥＭ−Ｐ）１２１２と、サウスブリッジ（ＳＢ）１２１４と、ローカルメモリ（ＭＥＭ−Ｃ）１２１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）１２１６と、ハードディスクドライブ１２１８とを有し、ノースブリッジ１２１３とＡＳＩＣ１２１６との間をＡＧＰ（Ａｃｃｅｌｅｒａｔｅｄ  Ｇｒａｐｈｉｃｓ  Ｐｏｒｔ）バス１２１５で接続した構成となる。また、ＭＥＭ−Ｐ１２１２は、ＲＯＭ（Ｒｅａｄ  Ｏｎｌｙ  Ｍｅｍｏｒｙ）１２１２ａと、ＲＡＭ（Ｒａｎｄｏｍ  Ａｃｃｅｓｓ  Ｍｅｍｏｒｙ）１２１２ｂとをさらに有する。
【０２２５】
ＣＰＵ１２１１は、情報処理サーバの情報処理制御、およびデジタル複写機の全体制御を行うものであり、ＮＢ１２１３、ＭＥＭ−Ｐ１２１２およびＳＢ１２１４からなるチップセットを有し、このチップセットを介して他の機器と接続される。
【０２２６】
ＮＢ１２１３は、ＣＰＵ１２１１とＭＥＭ−Ｐ１２１２、ＳＢ１２１４、ＡＧＰ１２１５とを接続するためのブリッジであり、ＭＥＭ−Ｐ１２１２に対する読み書きなどを制御するメモリコントローラと、ＰＣＩマスタおよびＡＧＰターゲットとを有する。
【０２２７】
ＭＥＭ−Ｐ１２１２は、プログラムやデータの格納用メモリ、プログラムやデータの展開用メモリなどとして用いるシステムメモリであり、ＲＯＭ１２１２ａとＲＡＭ１２１２ｂとからなる。ＲＯＭ１２１２ａは、プログラムやデータの格納用メモリとして用いる読み出し専用のメモリであり、ＲＡＭ１２１２ｂは、プログラムやデータの展開用メモリ、情報処理時の画像描画メモリなどとして用いる書き込みおよび読み出し可能なメモリである。
【０２２８】
ＳＢ１２１４は、ＮＢ１２１３とＰＣＩデバイス、周辺デバイスとを接続するためのブリッジである。このＳＢ１２１４は、ＰＣＩバスを介してＮＢ１２１３と接続されており、このＰＣＩバスには、ネットワークインターフェース（Ｉ／Ｆ）部なども接続される。
【０２２９】
ＡＳＩＣ１２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ１２１５、ＰＣＩバス、ＨＤＤ１２１８およびＭＥＭ−Ｃ１２１７をそれぞれ接続するブリッジの役割を有する。
【０２３０】
このＡＳＩＣ１２１６は、ＰＣＩターゲットおよびＡＧＰマスタと、ＡＳＩＣ１２１６の中核をなすアービタ（ＡＲＢ）と、ＭＥＭ−Ｃ１２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部１２６０との間でＰＣＩバスを介してＵＳＢ（Ｕｎｉｖｅｒｓａｌ  Ｓｅｒｉａｌ  Ｂｕｓ）１２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インタフェース１２５０が接続される。
【０２３１】
ＭＥＭ−Ｃ１２１７は、送信用画像バッファ、符号バッファとして用いるローカルメモリであり、ＨＤＤ１２１８は、画像データの蓄積、プログラムの蓄積、フォントデータの蓄積、フォームの蓄積を行うためのストーレジである。
【０２３２】
ＡＧＰ１２１５は、グラフィック処理を高速化するために提案されたグラフィックスアクセラレータカード用のバスインタフェースであり、ＭＥＭ−Ｐ１２１２に高スループットで直接アクセスすることにより、グラフィクスアクセラレータカードを高速にするものである。
【０２３３】
ＡＳＩＣ１２１６に接続するキーボード１２２０は、操作者からの操作入力を受け付けて、ＡＳＩＣ１２１６に受け付けられた操作入力情報を送信する。
【０２３４】
本実施形態のデジタル複写機で実行される情報処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０２３５】
さらに、本実施形態のデジタル複写機で実行される情報処理プログラムは、インターネット等のネットワークに接続されたコンピュータ上に格納し、ネットワーク経由でダウンロードさせることにより提供するように構成しても良く、また、インターネット等のネットワーク経由で提供または配布するように構成しても良い。
【０２３６】
本実施の形態のデジタル複写機で実行される情報処理プログラムは、上述した各部（送受信部、画像情報領域分割部、構造的意味解析部、構造化記述部、設計情報抽出部、設計情報記述部、入出力制御部、文書再構成部、文書表示変更部等）を含むモジュール構成となっており、実際のハードウェアとしてはＣＰＵ（プロセッサ）が上記ＲＯＭから情報処理プログラムを読み出して実行することにより上記各部が主記憶装置上にロードされ、送受信部、画像情報領域分割部、構造的意味解析部、構造化記述部、設計情報抽出部、設計情報記述部、入出力制御部、文書再構成部、文書表示変更部等が主記憶装置上に生成されるようになっている。
【０２３７】
以上説明した本発明の実施の形態およびそれらの実施例は、説明のための例であって、本発明はここに説明したこれらの例に限定されるものではない。
【産業上の利用可能性】
【０２３８】
以上のように、本発明にかかる情報処理システム、情報処理装置、情報処理端末、情報処理方法、その方法をコンピュータに実行させるプログラム、および記録媒体は、情報処理技術に有用であり、特に文書を電子的に処理して利用者が表示形態を変えることができる情報処理技術に有用であり、パーソナルコンピュータ、カラー複写機、およびカラーファクシミリ等の文書出力に関する技術に利用できる。
【図面の簡単な説明】
【０２３９】
【図１】実施の形態１による情報処理システムのネットワーク構成図である。
【図２】情報処理システムにおける情報処理サーバの機能的ブロック図である。
【図３】スキャナが読み取る原稿の一例の模式図である。
【図４−１】画像情報領域分割部によって領域分割された画像情報を説明する図である。
【図４−２】構造化記述部によって文書情報の構造化が記述された構造化情報の一例を示す模式図である。
【図５】設計情報記述部によって記述された設計情報を説明する図である。
【図６】図５に示した設計情報が変更された一例を示す模式図である。
【図７】図６での変更指定に従って再構成されて印刷された文書の模式図である。
【図８】実施の形態１による情報処理システムにおける情報処理手順を説明するフローチャートである。
【図９】変形例１による情報処理サーバの機能的ブロック図である。
【図１０】実施の形態２による情報処理端末としてのクライアントＰＣの機能的ブロック図である。
【図１１】実施の形態２による情報処理手順を説明するフローチャートである。
【図１２】携帯電話からアクセスしようとする文書を示す模式図である。
【図１３】図１２をそのまま携帯電話で表示させた場合の模式図である。
【図１４】図１２の表示サイズを携帯電話の表示サイズに合わせた場合の表示を示す模式図である。
【図１５】携帯電話用に変換された設計情報および構造化情報に従って表示した模式図である。
【図１６】携帯電話の表示部に文書と図表が同時に表示された一例の模式図である。
【図１７】携帯電話の表示部に文書だけが表示された一例の模式図である。
【図１８】携帯電話の表示部に図表だけが表示された一例の模式図である。
【図１９】実施の形態３による情報処理装置をネットワーク１に接続した構成図である。
【図２０】情報処理装置が読み込んだ文書の表示形態を表す模式図である。
【図２１】表示形態を変えたいサンプル文書を表す模式図である。
【図２２】読み込んだ文書がサンプル文書の表示形態によって表示された模式図である。
【図２３】実施の形態３の変形例１による情報処理装置による情報処理手順を説明するフローチャートである。
【図２４】実施の形態４による情報処理端末のネットワーク構成図である。
【図２５】実施の形態４による情報処理端末の機能的ブロック図である。
【図２６】情報処理端末４００が受信したもとの電子文書の表示を示す模式図である。
【図２７】画像情報が抽出された個々の画像情報を示す模式図である。
【図２８】文書の構造化情報を記述した一例を説明する図である。
【図２９】もとの電子文書の設計情報を記述した一例を説明する図である。
【図３０】文書表示変更部によって表示変更指定が入力されて設計情報が変更された一例を説明する図である。
【図３１】変更後の設計情報によって再構成されて表示される文書の模式図である。
【図３２】実施の形態４による情報処理手順を説明するフローチャートである。
【図３３】実施の形態１による情報処理サーバのハードウェア構成を示すブロック図である。
【図３４】実施の形態６によるデジタル複写機のハードウェア構成を示すブロック図である。
【符号の説明】
【０２４０】
１  ネットワーク
２  スキャナ
３  プリンタ
４  クライアントＰＣ
５  情報処理サーバ
６  文書データベース
５１  送受信部
５２  画像情報領域分割部
５３  構造的意味解析部
５４  構造化記述部
５５  設計情報抽出部
５６  設計情報記述部
５７  入出力制御部
５８  文書再構成部
５９  文書表示変更部
６０  ＨＤＤ
６１  操作表示部
【図１】
2006309443.tif 000003
【図２】
2006309443.tif 000004
【図３】
2006309443.tif 000005
【図４−１】
2006309443.tif 000006
【図４−２】
2006309443.tif 000007
【図５】
2006309443.tif 000008
【図６】
2006309443.tif 000009
【図７】
2006309443.tif 000010
【図８】
2006309443.tif 000011
【図９】
2006309443.tif 000012
【図１０】
2006309443.tif 000013
【図１１】
2006309443.tif 000014
【図１２】
2006309443.tif 000015
【図１３】
2006309443.tif 000016
【図１４】
2006309443.tif 000017
【図１５】
2006309443.tif 000018
【図１６】
2006309443.tif 000019
【図１７】
2006309443.tif 000020
【図１８】
2006309443.tif 000021
【図１９】
2006309443.tif 000022
【図２０】
2006309443.tif 000023
【図２１】
2006309443.tif 000024
【図２２】
2006309443.tif 000025
【図２３】
2006309443.tif 000026
【図２４】
2006309443.tif 000027
【図２５】
2006309443.tif 000028
【図２６】
2006309443.tif 000029
【図２７】
2006309443.tif 000030
【図２８】
2006309443.tif 000031
【図２９】
2006309443.tif 000032
【図３０】
2006309443.tif 000033
【図３１】
2006309443.tif 000034
【図３２】
2006309443.tif 000035
【図３３】
2006309443.tif 000036
【図３４】
2006309443.tif 000037